(57)【要約】開示されるのは、ブラウザにおいて、カスタマイズされたロケーションバー又はタブを表示する方法であって、ブラウザに入力されたユニフォームリソースロケータ（ＵＲＬ）に関連するウェブサーバにブラウザからコンテンツの要求を送信するステップと、ブラウザで、要求されたコンテンツをウェブサーバから受信するステップと、ドメイン登録サービスにブラウザからカスタムのドメインデータの要求を送信するステップであり、カスタムのドメインデータの要求が、ＵＲＬの少なくとも一部を示す情報を含む、ステップと、ＵＲＬの少なくとも一部がドメイン登録サービスに登録されている場合に、ブラウザで、ドメイン登録サービスからカスタムのドメインデータを受信するステップと、受信されたカスタムのドメインデータに従ってロケーションバー又はタブのコンテンツの外観を制御するステップとを含む、方法である。【選択図】図４１
2015520894.tif 000002
【特許請求の範囲】
【請求項１】
ブラウザにおいて、カスタマイズされたロケーションバー又はタブを表示する方法であって、
前記ブラウザに入力されたユニフォームリソースロケータ（ＵＲＬ）に関連するウェブサーバにブラウザからコンテンツの要求を送信するステップと、
前記ブラウザで、前記要求されたコンテンツを前記ウェブサーバから受信するステップと、
ドメイン登録サービスに前記ブラウザからカスタムのドメインデータの要求を送信するステップであり、カスタムのドメインデータの前記要求が、前記ＵＲＬの少なくとも一部を示す情報を含む、ステップと、
前記ＵＲＬの少なくとも一部が前記ドメイン登録サービスに登録されている場合に、前記ブラウザで、前記ドメイン登録サービスからカスタムのドメインデータを受信するステップと、
前記受信されたカスタムのドメインデータに従って前記ロケーションバー又はタブのコンテンツの外観を制御するステップとを含む、方法。
【請求項２】
前記ＵＲＬを示す前記情報が、ドメイン名であり、前記ドメイン名が前記ドメイン登録サービスに登録されている場合に、カスタムのドメインデータが受信される、請求項１に記載の方法。
【請求項３】
前記受信されたカスタムのドメインデータが、同じドメイン名に対応する異なる項目のカスタムのドメインデータを含み、前記ブラウザが、表示される前記ＵＲＬに対応する前記カスタムのドメインデータに従って前記ロケーションバー又はタブの前記コンテンツの前記外観を制御する、請求項１又は２に記載の方法。
【請求項４】
前記ＵＲＬが前記ドメイン登録サービスに登録されていない場合に、前記ブラウザで、前記ドメイン登録サービスから否定応答を受信するステップを含む、請求項１〜３のいずれか一項に記載の方法。
【請求項５】
前記ブラウザで前記カスタムのドメインデータを受信した後で、前記ブラウザで前記要求されたコンテンツを表示するステップを含む、請求項１〜４のいずれか一項に記載の方法。
【請求項６】
前記ブラウザでインターフェースを表示するステップであり、前記インターフェースが、ウェブサイトの管理者が前記ロケーションバーの前記制御された外観を修正することを可能にするように構成される、ステップを含む、請求項１〜５のいずれか一項に記載の方法。
【請求項７】
検索エンジンからのカスタマイズされた検索結果を表示する方法であって、
検索エンジンにブラウザから検索クエリを送信するステップと、
前記検索エンジンで前記検索クエリを受信し、前記検索クエリに基づいて１つ又は複数の検索結果を示す情報を生成するステップであり、それぞれの検索結果が、ユニフォームリソースロケータ（ＵＲＬ）に関連する、ステップと、
ドメイン登録サービスに前記検索エンジンからカスタムのドメインデータの要求を送信するステップであり、カスタムのドメインデータの前記要求が、１つ又は複数のＵＲＬのそれぞれの少なくとも一部を示す情報を含む、ステップと、
前記ドメイン登録サービスに登録されたそれぞれのＵＲＬに関して、前記検索エンジンで前記ドメイン登録サービスからカスタムのドメインデータを受信するステップと、
前記ブラウザで、前記検索エンジンから、前記１つ又は複数の検索結果を示す前記情報、及び前記カスタムのドメインデータを受信するステップと、
対応するカスタムのドメインデータを有するそれぞれの検索結果の外観が前記カスタムのドメインデータに従って制御されるように前記ブラウザで前記検索結果を表示するステップとを含む、方法。
【請求項８】
前記ＵＲＬを示す前記情報が、ドメイン名であり、前記ドメイン名が前記ドメイン登録サービスに登録されている場合に、カスタムのドメインデータが受信される、請求項７に記載の方法。
【請求項９】
前記受信されたカスタムのドメインデータが、同じドメイン名に対応する異なる項目のカスタムのドメインデータを含み、前記ブラウザが、表示される前記検索結果の前記ＵＲＬに対応する前記カスタムのドメインデータに従って前記検索結果の前記外観を制御する、請求項７又は８に記載の方法。
【請求項１０】
前記検索エンジンが、ウェブサーバにコンテンツの要求を送信し、前記ウェブサーバからコンテンツを受信し、前記ブラウザに前記コンテンツを送信するように構成される、請求項７〜９のいずれか一項に記載の方法。
【請求項１１】
前記ＵＲＬのいずれも前記ドメイン登録サービスに登録されていない場合に、前記検索エンジンで、前記ドメイン登録サービスから否定応答を受信するステップを含む、請求項７〜１０のいずれか一項に記載の方法。
【請求項１２】
前記ブラウザでインターフェースを表示するステップであり、前記インターフェースが、ウェブサイトの管理者が検索結果の前記制御された外観を修正することを可能にするように構成される、ステップを含む、請求項７〜１１のいずれか一項に記載の方法。
【請求項１３】
実行されるときに請求項１〜１２のいずれか一項に記載の方法を実施するコンピュータプログラムコード。
【請求項１４】
請求項１３に記載のコンピュータプログラムコードを含むコンピュータ可読媒体。
【請求項１５】
ユニフォームリソースロケータ（ＵＲＬ）の少なくとも一部によってインデックス付けされたカスタムのドメインデータのデータベースであり、前記ＵＲＬの少なくとも一部に関して異なる項目のカスタムのドメインデータを含むカスタムのドメインデータのデータベースを備えるドメイン登録サービスであって、
ＵＲＬの少なくとも一部を示す情報を含む、要求元のエンティティからのカスタムのドメインデータの要求を受信し、ＵＲＬを示す前記受信された情報に基づいてカスタムのドメインデータの前記データベースを検索し、前記要求元のエンティティに任意の検索されたカスタムのドメインデータを送信するように構成され、
前記要求の前記ＵＲＬに応じて、同じドメイン名に関連する異なるカスタムのドメインデータを返す、ドメイン登録サービス。
【請求項１６】
ＵＲＬの前記少なくとも一部がドメイン名を含む、請求項１５に記載のドメイン登録サービス。
【請求項１７】
カスタムのドメインデータの前記要求が、前記ＵＲＬを含み、当該ドメイン登録サービスが、前記ＵＲＬから少なくとも１つの部分を抽出して前記データベースを検索するように構成される、請求項１５又は１６に記載のドメイン登録サービス。
【請求項１８】
ドメイン登録サービスと、
ロケーションバー又はタブを備え、ユニフォームリソースロケータ（ＵＲＬ）に関連するウェブサーバにコンテンツの要求を送信し、当該ウェブサーバからコンテンツを受信し、ドメイン登録サービスに前記ＵＲＬの少なくとも一部を示す情報を含むカスタムのドメインデータの要求を送信し、前記ドメイン登録サービスからカスタムのドメインデータを受信し、前記ウェブサーバから受信されたコンテンツを表示し、前記ドメイン登録サービスからの前記カスタムのドメインデータに従って前記ロケーションバー又はタブの外観を制御するように構成されるブラウザと、を備え、
前記ドメイン登録サービスが、ＵＲＬの少なくとも一部によってインデックス付けされたデータベースのカスタムのドメインデータを含み、ＵＲＬの少なくとも一部を示す情報を含むカスタムのドメインデータの要求を前記ブラウザから受信し、ＵＲＬを示す前記受信された情報に基づいてカスタムのドメインデータの前記データベースを検索し、任意の検索されたカスタムのドメインデータを前記ブラウザに送信するように構成される、コンピュータに基づくシステム。
【請求項１９】
ＵＲＬに関連し、前記ＵＲＬに関連するウェブサイトに関連するコンテンツをホストし、前記ブラウザからコンテンツの前記要求を受信し、前記ブラウザにコンテンツを送信するように構成されるウェブサーバを備える、請求項１８に記載のコンピュータに基づくシステム。
【請求項２０】
前記ＵＲＬを示す前記情報が、ドメイン名であり、前記ドメイン名が前記ドメイン登録サービスに登録されている場合に、カスタムのドメインデータが受信される、請求項１８又は１９に記載のコンピュータに基づくシステム。
【請求項２１】
前記受信されたカスタムのドメインデータが、同じドメイン名に対応する異なる項目のカスタムのドメインデータを含み、前記ブラウザが、表示される前記ＵＲＬに対応する前記カスタムのドメインデータに従って前記ロケーションバー又はタブの前記コンテンツの前記外観を制御する、請求項１８〜２０のいずれか一項に記載のコンピュータに基づくシステム。
【請求項２２】
前記ドメイン登録サービスが、前記ＵＲＬが前記ドメイン登録サービスに登録されていない場合に、前記ブラウザに否定応答を送信するように構成される、請求項１８〜２１のいずれか一項に記載のコンピュータに基づくシステム。
【請求項２３】
前記ブラウザで前記カスタムのドメインデータを受信した後で、前記ブラウザで前記要求されたコンテンツを表示するように構成された、請求項１８〜２２のいずれか一項に記載のコンピュータに基づくシステム。
【請求項２４】
前記ブラウザが、ウェブサイトの管理者が前記ロケーションバーの前記制御された外観を修正することを可能にするように構成されたインターフェースを表示するように構成される、請求項１８〜２３のいずれか一項に記載のコンピュータに基づくシステム。
【請求項２５】
ドメイン登録サービスと、
検索エンジンに検索クエリを送信し、前記検索エンジンから、１つ又は複数の検索結果を示す情報、及び前記１つ又は複数の検索結果に対応するカスタムのドメインデータを受信し、対応するカスタムのドメインデータを有するそれぞれの検索結果の外観が前記カスタムのドメインデータに従って制御されるように前記検索結果を表示するように構成されたブラウザとを備え、
前記ドメイン登録サービスが、ユニフォームリソースロケータ（ＵＲＬ）の少なくとも一部によってインデックス付けされたカスタムのドメインデータのデータベースを備え、ＵＲＬの少なくとも一部を示す情報を含む、前記検索エンジンからのカスタムのドメインデータの要求を受信し、ＵＲＬを示す前記受信された情報に基づいてカスタムのドメインデータの前記データベースを検索し、前記検索エンジンに任意の検索されたカスタムのドメインデータを送信するように構成される、コンピュータに基づくシステム。
【請求項２６】
前記ブラウザから前記検索クエリを受信し、それぞれの検索結果がＵＲＬに関連する、前記検索クエリに基づく１つ又は複数の検索結果を示す情報を生成し、前記ドメイン登録サービスに１つ又は複数のＵＲＬのそれぞれの少なくとも一部を示す情報を含むカスタムのドメインデータの要求を送信し、前記ドメイン登録サービスからカスタムのドメインデータを受信し、前記ブラウザに前記１つ又は複数の検索結果を示す前記情報及び前記対応するカスタムのドメインデータを送信するように構成された検索エンジンを備える、請求項２５に記載のコンピュータに基づくシステム。
【請求項２７】
前記ＵＲＬを示す前記情報が、ドメイン名であり、前記ドメイン名が前記ドメイン登録サービスに登録されている場合に、カスタムのドメインデータが受信される、請求項２５又は２６に記載のコンピュータに基づくシステム。
【請求項２８】
前記受信されたカスタムのドメインデータが、同じドメイン名に対応する異なる項目のカスタムのドメインデータを含み、前記ブラウザが、表示される検索結果の前記ＵＲＬに対応する前記カスタムのドメインデータに従って前記検索結果の前記外観を制御する、請求項２６又は２７に記載のコンピュータに基づくシステム。
【請求項２９】
前記検索エンジンが、ウェブサーバにコンテンツの要求を送信し、前記ウェブサーバからコンテンツを受信し、前記ブラウザに前記コンテンツを送信するように構成される、請求項２５〜２８のいずれか一項に記載のコンピュータに基づくシステム。
【請求項３０】
前記ドメイン登録サービスが、ドメイン名が前記ドメイン登録サービスに登録されていない場合に、前記ブラウザに否定応答を送信するように構成される、請求項２５〜２９のいずれか一項に記載のコンピュータに基づくシステム。
【請求項３１】
前記ブラウザが、ウェブサイトの管理者がロケーションバーの前記制御された外観を修正することを可能にするように構成されたインターフェースを表示するように構成される、請求項２５〜３０のいずれか一項に記載のコンピュータに基づくシステム。
【請求項３２】
ユニフォームリソースロケータ（ＵＲＬ）の少なくとも一部によってインデックス付けされたカスタムのドメインデータを含むデータベースを備え、
ＵＲＬの少なくとも一部を示す情報を含むカスタムのドメインデータの要求をブラウザから受信し、前記受信された情報に対応するカスタムのドメインデータがデータベースに記憶されていると判定すると、ロケーションバー又はタブのコンテンツの外観を制御するために前記ブラウザに対応するカスタムのドメインデータを送信するように構成される、ドメイン登録サービス。
【請求項３３】
ユニフォームリソースロケータ（ＵＲＬ）の少なくとも一部によってインデックス付けされたカスタムのドメインデータを含むデータベースを備え、
検索エンジンによって生成された１つ又は複数の検索結果のそれぞれに関するＵＲＬの少なくとも一部を示す情報を含むカスタムのドメインデータの要求を前記検索エンジンから受信し、前記受信された情報で示される前記ＵＲＬのうちの１つ又は複数に対応するカスタムのドメインデータが前記データベースに記憶されていると判定すると、前記検索結果の外観を制御するために前記検索エンジンに１つ又は複数のＵＲＬに対応する前記カスタムのドメインデータを送信するように構成される、ドメイン登録サービス。
【発明の詳細な説明】
【発明の分野】
【０００１】
本発明は、一般に、ウェブブラウザでコンテンツを表示することに関し、詳細には、これに限らないが、ウェブサイトの管理者又は所有者によって望まれている可能性があるようにウェブブラウザにおいて、カスタマイズされたコンテンツを表示することに関する。
【関連出願】
【０００２】
本出願は、オーストラリア仮特許出願第２０１２９０１８９３号及び第２０１２９０２８０３号に関し、これらの内容は、参照により本明細書に全体が組み込まれる。
【発明の背景】
【０００３】
ウェブブラウザは、ウェブサイト又はウェブページなどの情報を通じて、画像、動画、及びインターネット上のその他のコンテンツを、要求するか、アクセスするか、取得するか、提示するか、表示するか、閲覧するか、又はナビゲートするために使用され得るソフトウェアアプリケーションである。従って、ウェブブラウザの第１の目的は、ユーザに対して情報を提供又は表示することである。
【０００４】
アドレスバー又はロケーションバーは、通常、ウェブブラウザのウィンドウの最上部付近に置かれた（英数字などの記号を表示し得る）コンテンツフィールドである。ロケーションバーは、ユーザによって閲覧されているウェブサイト又はウェブページの（概して、ドメイン名を含む）ＵＲＬを表示することができる。ロケーションバーは、ユーザが閲覧したいウェブサイトのＵＲＬをユーザが手動で打ち込むことを可能にすることができる。
【０００５】
従って、ロケーションバーに表示されるＵＲＬは、ウェブブラウザで閲覧されている現在のページ又はウェブサイトのアドレスを反映する可能性があり、ユーザが新しいウェブページ又はウェブサイトを訪れるか又はナビゲートする度に自動的に更新される可能性があり、このことは、ユーザが現在表示又は閲覧されているウェブページのロケーション又はＵＲＬを判定することを可能にすることができる。
【０００６】
ウェブブラウザは、ロケーションバーのＵＲＬのすぐ左にファビコン（favicon）を表示することを可能にすることができる。ファビコンは、ウェブサイトの視覚的な識別子を提供することができ、ＵＲＬ、ドメイン名、又はウェブサイトの所有者、管理者、アドミニストレータ、又はコントローラが、ロケーションバー又はＵＲＬに何らかの追加の美的要素を与えることを可能にすることができる。
【０００７】
ウェブ検索エンジンは、ユーザがインターネット上の情報を検索することを可能にするように設計されたウェブサイトであることができる。概して、ユーザは、（ユーザが検索クエリなどのテキストを入力することができるスペースとして定義され得る）検索エンジンのスペースの行又はテキストフィールドに検索語又は検索クエリを入力する。代替的に、ユーザは、ブラウザのグラフィカルユーザインターフェース（ＧＵＩ）に設けられた検索エンジンツールバーに検索クエリを入力する可能性がある。検索エンジンツールバーは、一般に、ブラウザから選択された又はデフォルトの検索エンジンに検索クエリを直接渡すように構成される。一部のブラウザは、ロケーションバーと検索エンジンツールバーとを組み合わせる可能性がある。検索エンジンは、受信された検索クエリを用いて、利用可能な又はインデックス付けされたウェブページ、画像、情報、又は利用可能なデータベース及びディレクトリなどのその他のファイルを検索する可能性がある。そのとき、検索エンジンは、検索クエリと比較されたときのそれぞれの結果のコンテンツの妥当性に基づいて結果を編集し、それらの結果を検索結果のリストとして表示することができる。
【発明の概要】
【０００８】
第１の態様において、本発明は、ブラウザにおいて、カスタマイズされたロケーションバー又はタブを表示する方法であって、
ブラウザに入力されたユニフォームリソースロケータ（ＵＲＬ）に関連するウェブサーバにブラウザからコンテンツの要求を送信するステップと、
ブラウザで、要求されたコンテンツをウェブサーバから受信するステップと、
ドメイン登録サービスにブラウザからカスタムのドメインデータの要求を送信するステップであり、カスタムのドメインデータの要求が、ＵＲＬの少なくとも一部を示す情報を含む、ステップと、
ＵＲＬの少なくとも一部がドメイン登録サービスに登録されている場合に、ブラウザで、ドメイン登録サービスからカスタムのドメインデータを受信するステップと、
受信されたカスタムのドメインデータに従ってロケーションバー又はタブのコンテンツの外観を制御するステップとを含む、方法を広く含む。
【０００９】
一実施形態においては、ＵＲＬを示す情報が、ドメイン名であり、ドメイン名がドメイン登録サービスに登録されている場合に、カスタムのドメインデータが受信される。
【００１０】
一実施形態においては、受信されたカスタムのドメインデータが、同じドメイン名に対応する異なる項目のカスタムのドメインデータを含み、ブラウザが、表示されるＵＲＬに対応するカスタムのドメインデータに従ってロケーションバー又はタブのコンテンツの外観を制御する。
【００１１】
一実施形態においては、方法が、ＵＲＬがドメイン登録サービスに登録されていない場合に、ブラウザで、ドメイン登録サービスから否定応答を受信するステップを含む。
【００１２】
一実施形態においては、方法が、ブラウザでカスタムのドメインデータを受信した後で、ブラウザで要求されたコンテンツを表示するステップを含む。
【００１３】
一実施形態においては、方法が、ブラウザでインターフェースを表示するステップであり、インターフェースが、ウェブサイトの管理者がロケーションバーの制御された外観を修正することを可能にするように構成される、ステップを含む。
【００１４】
第２の態様において、本発明は、検索エンジンからのカスタマイズされた検索結果を表示する方法であって、
検索エンジンにブラウザから検索クエリを送信するステップと、
検索エンジンで検索クエリを受信し、検索クエリに基づいて１つ又は複数の検索結果を示す情報を生成するステップであり、それぞれの検索結果が、ユニフォームリソースロケータ（ＵＲＬ）に関連する、ステップと、
ドメイン登録サービスに検索エンジンからカスタムのドメインデータの要求を送信するステップであり、カスタムのドメインデータの要求が、１つ又は複数のＵＲＬのそれぞれの少なくとも一部を示す情報を含む、ステップと、
ドメイン登録サービスに登録されたそれぞれのＵＲＬに関して、検索エンジンでドメイン登録サービスからカスタムのドメインデータを受信するステップと、
ウェブブラウザで、検索エンジンから、１つ又は複数の検索結果を示す情報、及びカスタムのドメインデータを受信するステップと、
対応するカスタムのドメインデータを有するそれぞれの検索結果の外観がカスタムのドメインデータに従って制御されるようにブラウザで検索結果を表示するステップとを含む、方法を広く含む。
【００１５】
一実施形態においては、ＵＲＬを示す情報が、ドメイン名であり、ドメイン名がドメイン登録サービスに登録されている場合に、カスタムのドメインデータが受信される。
【００１６】
一実施形態においては、受信されたカスタムのドメインデータが、同じドメイン名に対応する異なる項目のカスタムのドメインデータを含み、ブラウザが、表示される検索結果のＵＲＬに対応するカスタムのドメインデータに従って検索結果の外観を制御する。
【００１７】
一実施形態においては、検索エンジンが、ウェブサーバにコンテンツの要求を送信し、ウェブサーバからコンテンツを受信し、ブラウザにコンテンツを送信するように構成される。
【００１８】
一実施形態においては、方法が、ＵＲＬのいずれもドメイン登録サービスに登録されていない場合に、検索エンジンで、ドメイン登録サービスから否定応答を受信するステップを含む。
【００１９】
一実施形態においては、方法が、ブラウザでインターフェースを表示するステップであり、インターフェースが、ウェブサイトの管理者が検索結果の制御された外観を修正することを可能にするように構成される、ステップを含む。
【００２０】
第３の態様において、本発明は、実行されるときに上記の実施形態のうちのいずれか１つの方法を実施するコンピュータプログラムコードを広く含む。
【００２１】
第４の態様において、本発明は、第３の態様のコンピュータプログラムコードを含むコンピュータ可読媒体を広く含む。
【００２２】
第５の態様において、本発明は、
ユニフォームリソースロケータ（ＵＲＬ）の少なくとも一部によってインデックス付けされたカスタムのドメインデータのデータベースであり、ＵＲＬの少なくとも一部に関して異なる項目のカスタムのドメインデータを含むカスタムのドメインデータのデータベースを備えるドメイン登録サービスであって、
ＵＲＬの少なくとも一部を示す情報を含む、要求元のエンティティからのカスタムのドメインデータの要求を受信し、ＵＲＬを示す受信された情報に基づいてカスタムのドメインデータのデータベースを検索し、要求元のエンティティに任意の検索されたカスタムのドメインデータを送信するように構成され、
要求のＵＲＬに応じて、同じドメイン名に関連する異なるカスタムのドメインデータを返す、ドメイン登録サービスを広く含む。
【００２３】
一実施形態においては、ＵＲＬの少なくとも一部が、ドメイン名を含む。
【００２４】
一実施形態においては、カスタムのドメインデータの要求が、ＵＲＬを含み、ドメイン登録サービスが、ＵＲＬから少なくとも１つの部分を抽出してデータベースを検索するように構成される。
【００２５】
第６の態様において、本発明は、
ドメイン登録サービスと、
ロケーションバー又はタブを備え、ユニフォームリソースロケータ（ＵＲＬ）に関連するウェブサーバにコンテンツの要求を送信し、当該ウェブサーバからコンテンツを受信し、ドメイン登録サービスにＵＲＬの少なくとも一部を示す情報を含むカスタムのドメインデータの要求を送信し、ドメイン登録サービスからカスタムのドメインデータを受信し、ウェブサーバから受信されたコンテンツを表示し、ドメイン登録サービスからのカスタムのドメインデータに従ってロケーションバー又はタブの外観を制御するように構成されるブラウザと、を備え、
ドメイン登録サービスが、ＵＲＬの少なくとも一部によってインデックス付けされたデータベースのカスタムのドメインデータを含み、ＵＲＬの少なくとも一部を示す情報を含むカスタムのドメインデータの要求をブラウザから受信し、ＵＲＬを示す受信された情報に基づいてカスタムのドメインデータのデータベースを検索し、任意の検索されたカスタムのドメインデータをブラウザに送信するように構成される、コンピュータに基づくシステムを広く含む。
【００２６】
一実施形態においては、コンピュータに基づくシステムが、ＵＲＬに関連し、ＵＲＬに関連するウェブサイトに関連するコンテンツをホストし、ブラウザからコンテンツの要求を受信し、ブラウザにコンテンツを送信するように構成されるウェブサーバを含む。
【００２７】
一実施形態においては、ＵＲＬを示す情報が、ドメイン名であり、ドメイン名がドメイン登録サービスに登録されている場合に、カスタムのドメインデータが受信される。
【００２８】
一実施形態においては、受信されたカスタムのドメインデータが、同じドメイン名に対応する異なる項目のカスタムのドメインデータを含み、ブラウザが、表示されるＵＲＬに対応するカスタムのドメインデータに従ってロケーションバー又はタブのコンテンツの外観を制御する。
【００２９】
一実施形態においては、ドメイン登録サービスが、ＵＲＬがドメイン登録サービスに登録されていない場合に、ブラウザに否定応答を送信するように構成される。
【００３０】
一実施形態においては、コンピュータに基づくシステムが、ブラウザでカスタムのドメインデータを受信した後で、ブラウザで要求されたコンテンツを表示するように構成される。
【００３１】
一実施形態においては、ブラウザが、ウェブサイトの管理者がロケーションバーの制御された外観を修正することを可能にするように構成されたインターフェースを表示するように構成される。
【００３２】
第７の態様において、本発明は、
ドメイン登録サービスと、
検索エンジンに検索クエリを送信し、検索エンジンから、１つ又は複数の検索結果を示す情報、及び１つ又は複数の検索結果に対応するカスタムのドメインデータを受信し、対応するカスタムのドメインデータを有するそれぞれの検索結果の外観がカスタムのドメインデータに従って制御されるように検索結果を表示するように構成されたブラウザとを備え、
ドメイン登録サービスが、ユニフォームリソースロケータ（ＵＲＬ）の少なくとも一部によってインデックス付けされたカスタムのドメインデータのデータベースを備え、ＵＲＬの少なくとも一部を示す情報を含む、検索エンジンからのカスタムのドメインデータの要求を受信し、ＵＲＬを示す受信された情報に基づいてカスタムのドメインデータのデータベースを検索し、検索エンジンに任意の検索されたカスタムのドメインデータを送信するように構成される、コンピュータに基づくシステムを広く含む。
【００３３】
一実施形態においては、コンピュータに基づくシステムが、ブラウザから検索クエリを受信し、それぞれの検索結果がＵＲＬに関連する、検索クエリに基づく１つ又は複数の検索結果を示す情報を生成し、ドメイン登録サービスに１つ又は複数のＵＲＬのそれぞれの少なくとも一部を示す情報を含むカスタムのドメインデータの要求を送信し、ドメイン登録サービスからカスタムのドメインデータを受信し、ブラウザに１つ又は複数の検索結果を示す情報及び対応するカスタムのドメインデータを送信するように構成された検索エンジンを備える。
【００３４】
一実施形態においては、ＵＲＬを示す情報が、ドメイン名であり、ドメイン名がドメイン登録サービスに登録されている場合に、カスタムのドメインデータが受信される。
【００３５】
一実施形態においては、受信されたカスタムのドメインデータが、同じドメイン名に対応する異なる項目のカスタムのドメインデータを含み、ブラウザが、表示される検索結果のＵＲＬに対応するカスタムのドメインデータに従って検索結果の外観を制御する。
【００３６】
一実施形態においては、検索エンジンが、ウェブサーバにコンテンツの要求を送信し、ウェブサーバからコンテンツを受信し、ブラウザにコンテンツを送信するように構成される。
【００３７】
一実施形態においては、ドメイン登録サービスが、ドメイン名がドメイン登録サービスに登録されていない場合に、ブラウザに否定応答を送信するように構成される。
【００３８】
一実施形態においては、ブラウザが、ウェブサイトの管理者がロケーションバーの制御された外観を修正することを可能にするように構成されたインターフェースを表示するように構成される。
【００３９】
第８の態様において、本発明は、ユニフォームリソースロケータ（ＵＲＬ）の少なくとも一部によってインデックス付けされたカスタムのドメインデータを含むデータベースを備え、ＵＲＬの少なくとも一部を示す情報を含むカスタムのドメインデータの要求をブラウザから受信し、受信された情報に対応するカスタムのドメインデータがデータベースに記憶されていると判定すると、ロケーションバー又はタブのコンテンツの外観を制御するためにブラウザに対応するカスタムのドメインデータを送信するように構成される、ドメイン登録サービスを広く含む。
【００４０】
第９の態様において、本発明は、ユニフォームリソースロケータ（ＵＲＬ）の少なくとも一部によってインデックス付けされたカスタムのドメインデータを含むデータベースを備え、検索エンジンによって生成された１つ又は複数の検索結果のそれぞれに関するＵＲＬの少なくとも一部を示す情報を含むカスタムのドメインデータの要求を検索エンジンから受信し、受信された情報で示されるＵＲＬのうちの１つ又は複数に対応するカスタムのドメインデータがデータベースに記憶されていると判定すると、検索結果の外観を制御するために検索エンジンに１つ又は複数のＵＲＬに対応するカスタムのドメインデータを送信するように構成されるドメイン登録サービスを広く含む。
【００４１】
本発明のすべての態様を組み込む実施形態が、添付の図を参照して単に例として以降で説明される。
【図面の簡単な説明】
【００４２】
【図１ａ】ロケーションバーに表示されるドメイン名及びＵＲＬの標準的な表現の図である。
【図１ｂ】ロケーションバーに表示されるドメイン名及びＵＲＬの代替的な表現の例の図である。
【図１ｃ】ロケーションバーに表示されるドメイン名及びＵＲＬの代替的な表現の例の図である。
【図１ｄ】ロケーションバーに表示されるドメイン名及びＵＲＬの代替的な表現の例の図である。
【図２ａ】ロケーションバーに表示されるドメイン名及びＵＲＬの代替的な表現の例の図である。
【図２ｂ】ロケーションバーに表示されるドメイン名及びＵＲＬの代替的な表現の例の図である。
【図２ｃ】ロケーションバーに表示されるドメイン名及びＵＲＬの代替的な表現の例の図である。
【図２ｄ】ロケーションバーに表示されるドメイン名及びＵＲＬの代替的な表現の例の図である。
【図３ａ】ロケーションバーに表示されるドメイン名及びＵＲＬの代替的な表現の例の図である。
【図３ｂ】ロケーションバーに表示されるドメイン名及びＵＲＬの代替的な表現の例の図である。
【図３ｃ】ロケーションバーに表示されるドメイン名及びＵＲＬの代替的な表現の例の図である。
【図３ｄ】ブラウザによって表示されるタブのコンテンツの代替的な表現の例の図である。
【図４】インタラクティブなデジタルメディアの異なる状態の図である。
【図５】インタラクティブなデジタルメディアの２つの状態の図である。
【図６ａ】ロケーションバーに表示されるドメイン名及びＵＲＬの代替的な表現の例の図である。
【図６ｂ】ロケーションバーに表示されるドメイン名及びＵＲＬの代替的な表現の例の図である。
【図６ｃ】ロケーションバーに表示されるドメイン名及びＵＲＬの代替的な表現の例の図である。
【図６ｄ】ロケーションバーに表示されるドメイン名及びＵＲＬの代替的な表現の例の図である。
【図６ｅ】ロケーションバーに表示されるドメイン名及びＵＲＬの代替的な表現の例の図である。
【図７】検索結果例の図である。
【図８】上にデジタルメディアを含む図７の検索結果の図である。
【図９】左にデジタルメディアを含む図７の検索結果の図である。
【図１０】左にデジタルメディアを含む検索結果例の図である。
【図１１】検索結果に関連してデジタルメディアを表示する方法の流れ図である。
【図１２】デジタルメディアを検索結果の左に表示するブラウザの図である。
【図１３】検索結果の左に表示される順次アニメーションされるデジタルメディアの図である。
【図１４】検索結果の左に表示される順次アニメーションされるデジタルメディアの図である。
【図１５】検索結果の左に表示される順次アニメーションされるデジタルメディアの図である。
【図１６】デジタルメディアを検索結果の見出しと抜粋との間に表示するブラウザの図である。
【図１７】検索結果の見出しと抜粋との間に表示される順次アニメーションされるデジタルメディアの図である。
【図１８】検索結果の見出しと抜粋との間に表示される順次アニメーションされるデジタルメディアの図である。
【図１９】検索結果の下又は上に重ねられたデジタルメディアを表示するブラウザの図である。
【図２０】検索結果の代わりの順次アニメーションされるデジタルメディアの図である。
【図２１】検索結果の代わりの順次アニメーションされるデジタルメディアの図である。
【図２２】デジタルメディア、検索結果、及び「アド（Ad）」を示す語を示すブラウザの図である。
【図２３】検索結果に関連して表示される順次アニメーションされるデジタルメディア及び「アド」を示す語の図である。
【図２４】検索結果に関連して表示される順次アニメーションされるデジタルメディア及び「アド」を示す語の図である。
【図２５】検索結果に関連して表示される順次アニメーションされるデジタルメディア及び「アド」を示す語の図である。
【図２６】検索結果に関連して表示される順次アニメーションされるデジタルメディア及び「アド」を示す語の図である。
【図２７】検索結果及び小型スクリーンクライアント上に表示された「アドを表示（Show  Ad）」ボタンを示す図である。
【図２８】「アドを表示」ボタンが押下された後の図２７の小型スクリーンクライアントの表示を示す図である。
【図２９】小型スクリーンクライアントのブラウザ上に表示される順次アニメーションされるデジタルメディアの図である。
【図３０】小型スクリーンクライアントのブラウザ上に表示される順次アニメーションされるデジタルメディアの図である。
【図３１】小型スクリーンクライアントのブラウザ上に表示される順次アニメーションされるデジタルメディアの図である。
【図３２】ブラウザに表示される検索エンジンの図である。
【図３３】ブラウザに表示されるウェブサイトのソースコードを示す図である。
【図３４】カスタムの検索結果のプレビューの図である。
【図３５】異なるカスタムの検索結果のプレビューの図である。
【図３６】カスタムの検索結果を含む、ブラウザに表示される検索結果のリストの図である。
【図３７】ドメイン登録サービスに登録されたウェブサイトを表示するインターフェースを示す図である。
【図３８】実施形態の流れ図を示す図である。
【図３９】ブラウザのロケーションバーに表示されたドメイン名及びＵＲＬを示す図である。
【図４０】ブラウザに表示された検索結果を示す図である。
【図４１】ブラウザのロケーションバーに表示されたカスタムのドメイン名及びＵＲＬを示す図である。
【図４１ａ】追加の情報を含むドメイン名及びＵＲＬを示す図である。
【図４２】ドメイン登録サービス及びブラウザを含む本発明の実施形態の概略図である。
【図４３】ブラウザでコンテンツを表示し、ブラウザでカスタムのロケーションバーを表示する実施形態の概略図である。
【図４４】ブラウザでカスタムの検索結果を表示する実施形態の概略図である。
【発明の実施形態の詳細な説明】
【００４３】
本発明は、概して、ウェブブラウザ、例えば、ブラウザのアドレスバー若しくはタブ、又はブラウザによって表示される検索結果のリストにカスタマイズされたフォント又はカスタマイズされた１つの画像又は複数の画像を表示する方法に関する。
【００４４】
用語「フォント（font）」及び「（複数の）フォント（fonts）」などの関連する用語は、本明細書及び請求項で使用されるとき、概して、ウェブページの少なくとも一部に埋め込まれ得るコンピュータフォント又はフォント付きのファイルを指す。フォントは、文字の視覚的表現を含むリソース又はファイルを提供する可能性があり、そのような文字を表現する形状又はグリフ（glyph）に文字コードをマッピングする情報を含む可能性がある。共通のデザイン様式を共有するフォントは、１組の標準的なフォント属性によって分類されるフォントファミリー（font  family）にグループ分けされる可能性がある。そのようなファミリー内で、所与の文字に関して表示される形状は、線幅（stroke  weight）、傾き、相対的な幅、又はその他の観点、属性、若しくは特徴によって異なる可能性がある。フォントは、そのような観点、属性、又は特徴の一意の組み合わせによって記述され得る。フォントは、ビットマップフォントフォーマット、アウトラインフォント、ストロークベースフォント（stroke-based  font）、又はウェブブラウザ若しくは検索エンジンによって採用若しくは使用される任意のその他の好適なフォントシステムを含む可能性がある。追加的に、フォントは、セリフ、サンセリフ、等幅、スクリプト、ブラックレター、非ラテン（例えば、日本語フォントなどの英語以外の言語に基づくフォント）、ユニコード、ディングバット（dingbat）若しくは記号に基づくフォント、表示若しくは装飾フォント、シミュレーション若しくは模倣フォント（simulation  or  mimicry  font）、又は任意のその他の好適なフォントシステム、又は選択されたフォントとして使用されるべきクライアントにアップロードされた若しくはクライアントによって読み取られた任意のものを含むか又はそれらのフォントである可能性がある。
【００４５】
一部の実施形態において、ウェブブラウザ又は検索エンジンは、ウェブサイト又はドメイン名の所有者、管理者、アドミニストレータ、又はコントローラによって望まれている可能性がある方法又は様式でＵＲＬ、ロケーションバー、タブ、又は１つ若しくは複数の検索エンジンの結果をユーザに対して表示するように制御され得る。これは、例えば、ブランド化戦略に一致するか、又は少なくともウェブサイトの管理者によって望まれている、例えば、ロケーションバー、タブ、若しくは検索結果のブランド化又はルックアンドフィールを提供することができる。
【００４６】
ウェブサイトの管理者のドメイン名に関連する検索結果の外観をカスタマイズすることは、検索結果をその他、関係のない検索結果から視覚的に差別化するのに役立つ可能性がある。例えば、ユーザは、検索エンジンに検索クエリ「coca  cola」を入力する可能性があり、次いで、検索エンジンは妥当なヒットのリストを返す。そのとき、ユーザは、それらのユーザが探している可能性があるものを特定するためにそれぞれの検索結果に関連するテキストを読む必要がある可能性がある。例えば、画像又は広告を含むカスタマイズされた検索結果は、（インパクトが非常に限られている可能性がある）テキストのみよりも効果的である可能性がある。そのようなカスタマイズされた検索結果は、ユーザがより妥当な又はより公式なウェブサイトをより容易に発見することに役立つ可能性がある。
【００４７】
さらに、一部の実施形態は、検索エンジンなどのウェブサイト上のスペースのより効果的又は効率的な使用をもたらすことができる。ユーザは、例えば、１つ又は複数のテキストに基づく検索結果を表示する結果となる、「coca  cola」に関する検索エンジンでの検索を実行する可能性がある。テキストに基づく検索結果は、例えば、ブラウザに表示されるウェブページの左に位置を揃えられるリストで表示される可能性がある。従って、ウェブページの右には未使用のスペースが存在する可能性がある。テキストのみの表示は、画像ほど効果的でない可能性があり、従って、示されるテキストは、インパクトが限られている可能性があり、結果として、検索結果は、ユーザが拾い読みする（ブラウズする）又は目を通すことが難しい可能性がある。
【００４８】
オーストラリア特許出願第２０１２９０１８９３号において、用語「媒体（medium）」は、ウェブサイト上などの情報又は素材の表現又は視覚的表示、コンピュータ、モバイル電話、若しくはその他のそのような電子デバイスの物理的な印刷で当該発明を実行する機械可読形式のソフトウェア又はプログラムから得られる視覚的表示、又はそれらの任意のその他の表現を説明するために使用されている。本明細書及び請求項において、用語「クライアント（client）」又は「（複数の）クライアント（clients）」などの変化形は、コンピュータ、タブレット、モバイル電話、ハンドヘルドゲーム機、携帯情報端末（ＰＤＡ）、テレビ、又は任意のその他の好適なデバイスなどの、インターネットなどのネットワークを介して通信するように構成され、例えば、ブラウザにウェブサイトを表示するようにさらに構成される任意の電子デバイスに加えて、上で定義され、オーストラリア特許出願第２０１２９０１８９３号で定義された用語「媒体」を包含する。
【００４９】
一部の実施形態においては、ロケーションバー、ドメイン名、タブ、又はＵＲＬの外観が、ウェブブラウザによって変化するように更新されるか、確認されるか、又は制御される可能性がある。ロケーションバー、ドメイン名、又はＵＲＬの外観が変化するように更新されるか、確認されるか、又は制御されるとき、ドメインの一部か又は表示されるＵＲＬの全体かのどちらかにカスタマイズ又は登録されたフォントが適用される可能性があり、又は例えば画像ファイルが埋め込まれる可能性がある。
【００５０】
図４３を参照すると、一部の実施形態において、ドメイン名、ＵＲＬ、タブ、又はロケーションバーの外観を制御、カスタマイズ、又は更新するために以下の方法（この順番とは限らない）が使用される可能性がある。
【００５１】
・クライアント４で実行されるブラウザ２が、ウェブサイト又はドメイン名に関連するコンテンツをホストするウェブサーバ８にコンテンツの要求を送信する可能性がある（６）。
【００５２】
・ブラウザ２が、ウェブサーバ８からコンテンツを受信する可能性がある（１０）。
【００５３】
・要求されたコンテンツの表示の前に、表示と同時に、表示と平行して、又は表示の後に、ブラウザ２が、ドメイン登録サービス１４にカスタムのドメインデータの要求を送信し（１２）、カスタムのドメインデータの要求１２は、概して、ウェブサイトのＵＲＬ若しくはドメイン名に関する、又はウェブサイトのＵＲＬ若しくはドメイン名を示す情報又はデータを含む。
【００５４】
・ドメイン登録サービス１４は、ＵＲＬ又はドメイン名を、ＵＲＬ、ドメイン名、又はウェブサイトに関連するカスタムのフォント、レイアウト、デザイン、又は任意のその他のファイルを含む１つ又は複数のデータベース１６と突き合わせる可能性がある。
【００５５】
・ドメイン登録サービス１４がドメイン名又はＵＲＬ若しくはウェブサイトの少なくとも一部のレコードを含まない場合、ドメイン登録サービス１４が、ブラウザ２によって受信される否定応答を送信する可能性があり（１８）、ＵＲＬは、ユーザのクライアント４のウェブブラウザによって使用されるデフォルトのフォントで表示される可能性がある。
【００５６】
・ドメイン登録サービス１４がドメイン名又はＵＲＬ若しくはウェブサイトの少なくとも一部のレコードを含む場合、ドメイン登録サービス１４が、ブラウザ２によって受信される、ロケーションバー又はタブで表示され得るカスタムのフォント、レイアウト、デザイン、若しくはファイル、又はカスタムのドメインデータを送信する可能性がある（１８）。
【００５７】
図４４を参照すると、ユーザは、例えば、（キーワードなどのコンテンツを入力することによって）検索エンジンウェブサイト又はブラウザ２に設けられた検索エンジンツールバーにクエリを入力することによって検索エンジンで検索を実行する可能性がある。検索エンジンは、概して、その検索エンジンのデータベース又はウェブサイトのインデックスを見直し、その検索エンジンの基準に従って妥当な、最も一致する、又は最も適切なウェブページ又はウェブサイトのリストを提供する。これは、ウェブサイト又はドキュメントのタイトル、及びウェブサイト又はドキュメント自体からのテキストの抜粋を含む短い要約をともなう可能性があり、任意で、ウェブページ又はドキュメントのサムネイルを含む可能性がある。
【００５８】
一部の実施形態において、結果のリスト内の１つ又は複数の検索エンジンの結果は、それらの結果がウェブサイトの管理者によって望まれる方法でユーザに対して表示されるようにカスタマイズされ得る。表示されるＵＲＬ、ドメイン名、タイトル、要約、抜粋、説明、コンテンツ、又は表示される検索結果の任意のその他の好適な部分は、カスタマイズされた方法で表示される可能性がある。検索エンジンによって返される検索結果のリストで表示されるべき１つ又は複数の検索結果の外観を制御、カスタマイズ、又は更新するために、以下の方法（この順番とは限らない）が使用される可能性がある。
【００５９】
・クライアント４で実行されるウェブブラウザ２が、検索エンジンサーバ２４でホストされる可能性がある検索エンジン２２に検索クエリ又は要求を送信する可能性がある（２０）。
【００６０】
・検索エンジン２２が、受信された検索クエリに基づいて１つ若しくは複数の検索結果、又は１つ若しくは複数の検索結果を示す情報を生成する可能性がある。
【００６１】
・検索エンジン２２が、その検索エンジン２２の検索結果で特定された１つ又は複数のウェブサイトにコンテンツの要求を送信する可能性がある（６）。そのようにする際、検索エンジン２２は、ウェブサイトサーバに接続し、データを要求又は取得する可能性がある。概して、検索エンジン２２は、ウェブサイト又はコンテンツをホストするウェブサーバを介してウェブサイトに接続する。
【００６２】
・検索エンジン２２が、１つ又は複数のウェブサイトからコンテンツ又はデータを受信する可能性がある（１０）。
【００６３】
・要求された検索結果の表示の前に、表示と同時に若しくは表示と平行して、又は表示の後に、検索エンジン２２が、妥当な検索結果を編集し、ドメイン登録サービス１４にカスタムのドメインデータの要求１２を送信する可能性がある。カスタムのドメインデータの要求１２は、概して、検索結果に関連するＵＲＬ又はドメイン名のうちの１つ又は複数に関する情報又はデータを含む。
【００６４】
・ドメイン登録サービス１４は、ＵＲＬ又はドメイン名を、ＵＲＬ、ドメイン名、又はウェブサイトに関連するカスタムのフォント、レイアウト、デザイン、又は任意のその他のファイルを含む１つ又は複数のデータベース１６と突き合わせる可能性がある。
【００６５】
・ドメイン登録サービス１４がドメイン名又はＵＲＬ若しくはウェブサイトの少なくとも一部のレコードを含まない場合、ドメイン登録サービス１４が、検索エンジン２２によって受信される否定応答を送信する可能性があり（１８）、検索結果は、検索エンジン２２によって使用されるデフォルトのフォントで表示される可能性がある。
【００６６】
・ドメイン登録サービス１４がドメイン名、ＵＲＬ、又はウェブサイトのレコードを含む場合、ドメイン登録サービス１４が、検索エンジン２２によって受信されるカスタムのフォント若しくはファイル、又はカスタムのドメインデータを送信する可能性がある（１８）。
【００６７】
・登録されたカスタムのドメインデータが存在する場合、検索エンジン２２が、ユーザに対するカスタマイズされた表示のためにクライアント４又はブラウザ２にカスタムの検索結果を送信する可能性がある（２８）。代替的に、登録されたカスタムのドメインデータが存在しない場合、検索エンジン２２が、表示のためにクライアント又はブラウザ２にカスタムされていない検索結果を送信する可能性がある。
【００６８】
一部の実施形態において、検索エンジン２２は、それらの検索結果の表示の前に、その検索エンジン２２の検索結果のリストを編集する可能性がある。そのような実施形態において、検索エンジン２２は、その後、ドメイン登録サービス１４にカスタムのドメインデータの要求を送信する可能性がある（１２）。次いで、ドメイン登録サービス１４は、要求されたドメイン名、ＵＲＬ、又はウェブサイトが登録されており、検索結果に埋め込むべきフォント又はファイル又はその他の素材などの対応するカスタムのドメインデータを有するかどうかを判定する可能性がある。ドメイン登録サービス１４は、そのドメイン登録サービス１４のデータベース１６に受信されたドメイン名、ＵＲＬ、又はウェブサイトを含まない場合、否定応答を与える可能性があり、その場合、そのドメイン名、ＵＲＬ、又はウェブサイトに対応する検索結果が、そのドメイン名、ＵＲＬ、又はウェブサイトの標準的なデフォルトのフォント又はフォーマットで表示される。ドメイン登録サービス１４は、そのドメイン登録サービス１４のデータベース１６に要求されたドメイン名、ＵＲＬ、又はウェブサイトを含む場合、肯定応答を与える可能性があり、表示されるべき対応するカスタムのフォント若しくはその他の素材、又は埋め込むべき１つ若しくは複数のファイルを提供する可能性がある。そのとき、検索エンジン２２は、１つ若しくは複数のカスタマイズされた検索結果若しくはカスタマイズされたフィールドの行、又はそれら両方を、ＵＲＬ、ドメイン名、又はウェブサイトの管理者若しくは所有者によって指定されたように表示する可能性がある。
【００６９】
一部の実施形態においては、インターネット、ウェブサイト若しくはＵＲＬ、又は検索エンジンにアクセスすることができる媒体又はクライアント４のインターフェース又は表示が、使用され得る。
【００７０】
一部の実施形態において、本発明の方法又はプロセスは、コンピュータシステムなどのシステム、ブラウザ２若しくはアプリケーションなどのソフトウェア若しくはプログラム、又はコンピュータ若しくはモバイル電話を含むインターネットにアクセスすることができる任意の製品などのクライアント４若しくは媒体によって実行される可能性がある。ロケーションバーに表示されるドメイン名、ＵＲＬ、又はウェブサイトは、ウェブサイトのドメインアドレスの形式である可能性があり、アドレス及びアドレスのためのフィールドは、現在市場にあるものとは異なる可能性があり、その違いは、任意のフィールドのサイズ若しくは種類、フォントの色、種類、若しくはサイズ、黒若しくは白、又はそれらの任意の組み合わせ若しくは順列を含む可能性がある。代替的に又は追加的に、ブロック（block）の色又は色を含む形状が、１つのドメイン名又は複数のドメイン名と併せて使用される可能性がある。同様に、ブラウザのタブに表示されるテキスト又はファビコン又はそれら両方は、現在市場にあるものとは異なる可能性があり、その違いは、任意のフィールドのサイズ若しくは種類、フォントの色、種類、若しくはサイズ、黒若しくは白、又はそれらの任意の組み合わせ若しくは順列を含む可能性がある。
【００７１】
任意の好適なフォントが、ドメイン名及びタブの表示に使用される可能性がある。
【００７２】
商標又はサービスマークなどの好適な画像が、ロケーションバー又はタブに表示されるドメイン名又はＵＲＬに関連して使用される可能性がある。
【００７３】
デジタルメディアは、任意の好適な方法でインタラクティブになり得る。
【００７４】
任意の好適なホスト、接頭辞、又は接尾辞が、ロケーションバーにドメイン名又はＵＲＬを表示することに関連して使用され得る。
【００７５】
代替的に、いかなるホスト、接頭辞、又は接尾辞も使用されない可能性がある。
【００７６】
一部の実施形態は、以下を含む、ウェブページ又はブラウザ上の広告を介してコミュニケーションする方法又はプロセスに関する可能性がある。
【００７７】
・検索エンジンのユーザが検索語の要求を送るときに始まる、検索結果の中に広告を示す又は表示する方法。それぞれの検索結果の関連する又は対応するドメイン名又はＵＲＬが、ドメイン登録サービスからのカスタムのドメインデータを要求するために使用され得る。
【００７８】
・インターネット広告協会（ＩＡＢ：internet  advertising  bureau）規格の中型長方形表示広告が、検索結果リストの近くに表示される可能性がある。このプレースホルダーは、インタラクティブメディア（例えば、Ａｄｏｂｅ  Ｆｌａｓｈ、ＨＴＭＬ５、アニメーションＧＩＦ、又は任意のその他の好適なインタラクティブなデジタルメディア）として表示される可能性があり、検索結果とは異なるＵＲＬにリンクすることができる可能性がある。
【００７９】
・表示される広告は、必ずしも単一のＩＡＢアドサイズに制限されない可能性があり、非インタラクティブメディア、例えば、単一フレーム画像フォーマットである可能性もある。
【００８０】
・表示される広告は、必ずしもＩＡＢ規格に固執しない可能性がある。表示される広告自体が、検索結果リストの要素又は検索結果リスト全体を包含する可能性がある。
【００８１】
本発明の一部の実施形態が、例として、添付の図に対して説明される。
【００８２】
図１ａ〜ｄを参照すると、ドメイン名３０及びＵＲＬ３２の例が示されている。図１ａを参照すると、ロケーションバーに表示されるか又は検索結果に関連して表示される可能性がある標準的なドメイン名３０及びＵＲＬ３２は、アリアル（Arial）などの標準的又は通常のフォントを含む可能性があり、黒色である可能性がある。通常のドメイン名３０及びＵＲＬ３２は、ブラウザのロケーションバー又はブラウザに表示される検索エンジンの検索結果で表示される可能性がある。図１ｂを参照すると、同じドメイン名３０及びＵＲＬが、例えば、商標又はブランドを強調するために一部が赤などの標準的でない色であるようにしてロケーションバーに表示されるか又は検索結果に関連して表示される可能性がある。タブが、同様の方法でテキスト又は画像を表示するように制御される可能性がある。ドメイン名３０又はＵＲＬ３２の色の付いた部分は、図面において、図１ｂの文字列「coca-cola」のように輪郭だけの文字によって表現される。図１ｃを参照すると、ドメイン名３０又はＵＲＬ３２は、ウェブサイトの所有者、管理者、又はドメイン名のコントローラによって選択され得る標準的でないか又はカスタマイズされたフォントを用いてロケーションバーに表示されるか又は検索結果に関連して表示される可能性がある。そのようなドメイン名及びカスタマイズされたフォントは、ドメイン登録サービスに登録される可能性があり、設計の異なる要素及び方針を有する可能性があり、これは、商標又はブランドを強調するさらなる例である。図１ｄを参照すると、ドメイン名３０又はＵＲＬ３２が、商標若しくはブランドを強調するために標準的でないフォント若しくは様式を用いてロケーションバーに表示されるか若しくは検索結果に関連して表示される可能性があり、又はタブが、商標若しくはブランドを強調するために標準的でないフォント若しくは様式を用いてカスタマイズされる可能性がある。概して、そのようなドメイン名３０又はＵＲＬ３２は、ブラウザ又は検索エンジンによって認識される有効なドメイン名又はＵＲＬを引き続き構成し、そのドメイン名３０又はＵＲＬ３２に適用することができる可能性がある「www.」又は「.com」などの接頭辞、ホスト、又は接尾辞を含む可能性があり、又は含まない可能性がある。ブラウザによって又は検索エンジンの結果のリストに表示され得るドメイン名３０又はＵＲＬ３２は、フォント、様式、サイズ、色、若しくは記号などの視覚的表現、又は埋め込まれる素材などの任意の好適なデジタルメディアを構成するかそのようなデジタルメディアを含む可能性がある。そのようなデジタルメディアは、ドメイン登録サービスでウェブサイトの所有者、管理者、又はドメイン名のコントローラによって登録される可能性があり、そのようなドメイン登録サービスは、ウェブブラウザ又は検索エンジンによって接続され得る。
【００８３】
図１ｂ〜ｄに示されたドメイン名は、ロケーションバーに表示されるか又は検索結果に関連して表示されるドメインアドレス、ドメイン名３０、又はＵＲＬ３２により大きな芸術的価値を与えることができ、従って、ドメイン名３０若しくはＵＲＬ３２、タブコンテンツ、検索結果、又は（ロケーションバーでの表示、若しくは検索エンジンによって返された検索結果のリストの表示を含み得る）ブラウザによって表示されるその他のそのような情報は、標準的若しくは通常のドメイン名３０、ＵＲＬ３２、タブ、又は検索結果よりもエンドユーザに対してよりはっきりしているか、目立つか、又は美的観点で訴求力がある可能性がある。これは、例えば、さまざまなフォント、サイズ、１つ又は複数の色の使用を含めることによって実行される可能性があり、これは、使用されているか又は表示されているドメイン名３０、ＵＲＬ３２、又はタブに芸術的又は美的価値を加える可能性がある。
【００８４】
さらに、ユーザは標準的でないフォントの種類、サイズ、色の、又は別の標準的でない特徴を有するドメイン名３０、ＵＲＬ３２、又はタブを見ることに慣れていない可能性があるので、ドメイン名３０若しくはＵＲＬ３２又はタブ又は検索結果に対するより強い強調が行われ得る。
【００８５】
図２ａ〜ｄを参照すると、カスタマイズされたドメイン名３０及びＵＲＬ３２のさらなる例が示されている。図２ａを参照すると、ドメイン名３０及びＵＲＬ３２が、Ｃｏｃａ  Ｃｏｌａと同じようなブランド又は配色を強調することができる。文字列「coca-cola」は、赤色で表示される可能性があり、ＵＲＬ３２の残りは、黒色で表示される可能性がある。ＵＲＬ３２全体が、通常と異なるフォントで表示される可能性もある。図２ｂ、ｃを参照すると、ドメイン名３０又はＵＲＬ３２は、通常のフォントの様式及び色であるが、ドメインアドレスに価値を付け加えることができる色の裏側のブロック（backing  block）を用いてロケーションバーに表示されるか又は検索結果に関連して表示される可能性がある。裏側のブロックは、赤色又は黒色などの任意の好適な色である可能性があり、或いは代替的に又は追加的に、パターン、又は静止画若しくは動画、又は形状若しくはさまざまな形状及び色などの任意のその他の好適なデジタルメディアを含む可能性がある。図２ｄを参照すると、ドメイン名３０又はＵＲＬ３２は、通常とは異なるフォントで、色の付いた部分（例えば、文字列「coca-cola.」）及び黒色の部分を用いて表示される可能性がある。これは、サービス、製品、又は会社に関連する商標、ブランド、又は配色を強調することができる。フォントは、会社又はブランドに関連するフォントである可能性がある。図２ａ〜ｄの例のドメイン名３０及びＵＲＬ３２は、それぞれ、ロケーションバー、ブラウザで表示されるか、又は検索エンジンによって返された検索結果に関連して表示される可能性がある。
【００８６】
図３ａ、ｂを参照すると、ドメイン名３０及びＵＲＬ３２のさらなる例が示されている。図３ａを参照すると、ドメイン名３０又はＵＲＬ３２は、カスタムのフォント、色の付いた部分、色の付いていない部分、及び通常よりも大きなサイズを用いて表示される可能性がある。そのようなドメイン名３０又はＵＲＬ３２は、表示するためにより大きなロケーションバー又はフィールドを必要とする可能性があり、ブラウザは、そのようなより大きなドメイン名３０又はＵＲＬ３２に対応するように制御される可能性がある。そのようなフィールドは、スクリーンの幅全体に広がってもよく、又は必ずしも幅全体に広がらなくてもよい。
【００８７】
図３ｂを参照すると、ドメイン名３０又はＵＲＬ３２は、ドメイン登録サービスでウェブサイトの所有者、管理者、又はコントローラによって望まれており、制御されるように赤色、黒色、又は白色などの任意の１つ又は複数の好適な色で完全にロケーションバーに表示されるか又は検索結果に関連して表示される可能性がある。例えば、白色フォントが使用される場合、灰色又は黒色の背景も使用される可能性があり、図３ｂのドメイン名３０又はＵＲＬ３２においては、例えば、黄色のブロックなどの異なる色の背景又は任意のその他の背景が使用される可能性がある。
【００８８】
図３ｃを参照すると、（例えば、Ｃｏｃａ  Ｃｏｌａの）画像又は商標３４などの任意の好適なデジタルメディアが、ロケーションバーに表示されるか又は検索結果に関連して表示される可能性がある。概して、そのような商標は、ドメイン名３０又はＵＲＬ３２に対応する可能性がある。これは、ドメイン登録サービスから受信されたフォント又はその他の１つのファイル若しくは複数のファイル又はその他の素材によって実装される可能性がある。代替的に、実際の商標が、ロケーションバー又はドメイン名フィールドに埋め込まれる可能性がある。フィールド領域は、ウェブページの左上の角若しくは右上の角の近く、又はブラウザのＧＵＩの任意のその他の好適な位置の商標又は画像のための必要とされる領域、例えば、長方形に合うように変更され得る。フォント、色、画像、ロゴ、商標、ファビコン、動画、又はアニメーションのうちの１つ又は複数などのデジタルメディアの任意の好適な組み合わせが、ブラウザのロケーションバーにドメイン名３０又はＵＲＬ３２の代わりに表示される可能性があり、そのようなロケーションバーは、ブラウザ又はブラウザのＧＵＩによって任意の好適なサイズ、縮尺、形状、又は位置に設けられ得る。代替的に、一部の実施形態において、ドメイン名３０又はウェブサイトの所有者、管理者、又はコントローラは、ドメイン名３０又はＵＲＬ３２が図３ｃに示されるようなフォーマットでブラウザ又は検索エンジンによって表示及び認識され得るように、カスタムのフォント、色、様式、又はその他の好適なデジタルメディアをドメイン登録サービスに登録する可能性がある。商標３４は、埋め込みハイパーリンクを含む可能性があり、例えば、クリック又はその他のインタラクションが行われると、ユーザを別のサイトに導く可能性がある。
【００８９】
図３ｄを参照すると、ウェブブラウザのタブ３５が、カスタムのフォント又は画像を用いるなど、任意の好適な方法でカスタマイズされる可能性がある。概して、ドメイン名の所有者は、本明細書において説明される実施形態と同様の方法でドメイン登録サービスにドメイン名を登録し、カスタムのドメインデータデータベースに記憶される、ドメイン名３５に関する又は関連するカスタムのドメインデータを提供する。ドメイン登録サービスは、カスタムのドメインデータデータベースに記憶されるＵＲＬを示すデータを含むブラウザからの要求を受信すると、カスタムのドメインデータをブラウザに送信し、次いで、ブラウザが、カスタムのドメインデータに従ってタブ３５の外観を制御することができる。ロケーションバーとタブ３５との両方がカスタマイズされる実施形態においては、ドメイン登録サービスは、すべての妥当なカスタムのドメインデータを単一のメッセージ又は一連のメッセージでブラウザに送信する可能性がある。ブラウザは、概して、どのデータがロケーションバーの外観を制御し、どのデータがタブ３５の外観を制御するのかを識別することができるように構成され、データは、この識別を実現することに役立つように適切にフラグを立てられる可能性がある。
【００９０】
図４を参照すると、商標３４など表示されるデジタルメディアは、ブラウザのＧＵＩ内、例えば、ロケーションバー、タブ、又は検索結果のリスト内でインタラクティブである可能性がある。例えば、ロケーションバーに表示された大きな商標３４ａは、ユーザが大きな商標３４ｂをマウスでクリックすることによって大きな商標３４ｂとインタラクションするとき、小さな商標３４ｂまでサイズを小さくされる可能性がある（３６）。商標３４などのデジタルメディアは、小さくされるか、又は大きくされるか、又はその他の方法で変形される可能性があり、インタラクションの様式（例えば、拡大又は縮小）は、ユーザによって選択される可能性がある。さらなるインタラクションが、例えば、商標３４を完全に変形し（３８）、例えば、商標３４がドメイン名３０、ＵＲＬ３２、又はそれら両方として表示されるようにする可能性がある。（例えば、図１ｂ〜ｄ、２ａ〜ｄ、及び３ａ〜ｃに示される）カスタムのドメイン名３０又はＵＲＬ３２は、好適なデジタルメディアとのインタラクションの後に表示される可能性がある。
【００９１】
代替的に、ユーザが、例えば、大きな商標３４ａをクリックすることによってインタラクションする可能性があり、大きな商標３４ａが、直ちにカスタムの又はカスタムでないドメイン名３０又はＵＲＬ３２に変形する可能性がある（３８）。ユーザは、商標３４とインタラクションすると、ドメイン名３０又はＵＲＬ３２に関連するウェブサイトにブラウザで導かれる可能性がある。
【００９２】
例えば、ユーザは、埋め込まれた、クリック可能なドメイン名又はアドレスを含む可能性がある商標３４とインタラクションすることができる。従って、ユーザは、いつ何時でもウェブページがどこまで表示されることを望むかについて選択を行うことができ、ウェブサイトとインタラクションすることができる。
【００９３】
図５を参照すると、商標３４は、検索エンジンを通じて画像検索を行うユーザに見えるか、又はそのようなユーザに対して表示される可能性がある。一部の実施形態において、ユーザは、商標３４がインタラクティブになり、関連するカスタムの若しくはカスタムでないドメイン名３０若しくはＵＲＬ３２に変形するか（３８）、又はユーザを関連するカスタムの若しくはカスタムでないドメイン名３０若しくはＵＲＬ３２に導くことができるように、商標３４とインタラクションし、若しくは商標３４をクリックし、又は商標３４をスクロールし、若しくはカーソルを商標３４に重ねることができる可能性がある。
【００９４】
この実施形態においては、例えば、ユーザが、任意の画像又はその他のデジタルメディアを、それが商標か否かに関係なく検索する可能性があり、そのような画像又はデジタルメディアをドメイン名３０、ＵＲＬ３２、又はタブにリンクすることによって、ユーザが、そのとき、関連するウェブサイトに導かれる可能性があり、又は代替的に若しくは追加的に、さらなる情報若しくは指示が、例えば、ポップアップボックスで与えられる可能性がある。
【００９５】
図６ａ〜ｅを参照すると、一連のドメイン名３０及びＵＲＬ３２が示されている。図６ａのドメイン名３０又はＵＲＬ３２は、既に知られているように、標準的なドメイン名又はＵＲＬである可能性がある。一部の実施形態において、図６ｂ〜ｅを参照すると、ロケーションバーに表示されるか又は検索結果に関連して表示される可能性がある、関連するが異なるドメイン名３０又はＵＲＬ３２の例が示されている。図６ｂを参照すると、ドメイン名３０又はＵＲＬ３２は、「http://www.」又は「www.」又は「.com」などの典型的なドメインのホスト又は接頭辞又は接尾辞を表示しないように制御される可能性がある。図６ｃを参照すると、ドメイン名３０又はＵＲＬ３２は、「w.」を接頭辞として表示するように制御される可能性がある。図６ｄを参照すると、ドメイン名３０又はＵＲＬ３２は、「i.」を接頭辞として表示するように制御される可能性がある。図６ｅを参照すると、ドメイン名３０又はＵＲＬ３２は、「e.」を接頭辞として表示するように制御される可能性がある。ロケーションバー又は検索エンジンの結果は、ドメイン名３０又はＵＲＬ３２に関連する任意の好適なホスト、接頭辞、又は接尾辞を表示するように制御される可能性がある。その他の接頭辞又は接尾辞が、使用される可能性がある。
【００９６】
図７を参照すると、検索結果４０は、（関連するウェブサイト又はウェブページへのリンクである可能性もある）見出し４２、テキストに基づくウェブサイトのタイトル４４、及びテキストに基づく要約又はウェブサイトのコンテンツの抜粋４６を含む可能性がある。そのような検索結果４０は、ユーザによって検索エンジンに入力された検索クエリに応答してブラウザで表示される可能性がある。
【００９７】
図８を参照すると、一部の実施形態において、検索結果４０は、フォント、色、画像、ロゴ、商標、デバイス、ファビコン、動画、又はアニメーションのうちの１つ又は複数などの任意の好適なデジタルメディア４８を表示するように制御される可能性がある。例えば、Ｃｏｃａ−Ｃｏｌａのロゴ５０が、Ｃｏｃａ−Ｃｏｌａに関連する検索結果に関連して表示される可能性がある。そのような実施形態は、目を通すか、検索するか、又は拾い読みすることがより容易である可能性があるテキストの結果の視覚的表現を見る利点をユーザに提供することができる。デジタルメディア４８は、埋め込まれる可能性があり、ウェブサイト又はウェブページなどの導かれる情報に行き着くためにクリックされ得る埋め込みリンク又はハイパーリンクを有する可能性がある。代替的に、デジタルメディアをクリックすることが、販売促進などのポップアップ情報を見せる可能性があり、又は抜粋４６若しくはウェブサイトのサムネイルで見られるものと同じであるか若しくは異なる可能性がある。その他の実施形態において、デジタルメディア４８は、インタラクティブでない可能性があるが、ブランドの認識をもたらす可能性がある。これは、検索結果４０がＣｏｃａ−Ｃｏｌａなどの公式ウェブサイトに対応することをユーザに示す可能性がある。検索結果４０に関連して表示されるそのようなデジタルメディア４８の使用は、会社のより多くの露出、会社のより多くの広告、検索結果４０のリスト内で占めるより多くのスペース、ウェブサイトにクリックスルー若しくはナビゲートする２つ以上の方法、又はユーザがその他のウェブサイトから公式の若しくは本物のウェブサイトを特定する能力を含む可能性がある。
【００９８】
デジタルメディア４８は、図８に示されるように検索結果４０の最上部若しくは上、又はテキストの裏側若しくは上側（その場合、デジタルメディア４８は不透明である可能性がある）、又は左若しくは右、下、又は任意のその他の好適な位置など、ウェブページ上又は検索結果のリスト内の任意の好適な位置に表示される可能性がある。
【００９９】
図９を参照すると、検索結果４０は、抜粋４６の左に任意の好適なデジタルメディア４８を表示するように制御される可能性がある。検索結果４０は、図８の例と比較されるとき、より大きな領域上に表示される可能性がある。
【０１００】
図１０を参照すると、デジタルメディア４８が左に表示された検索結果４０のレイアウトの別の例が、示されている。
【０１０１】
図７〜１０を参照すると、任意の好適なデジタルメディア４８が、ユーザの検索クエリに関連して検索エンジンによって返される可能性がある表示される検索結果４０のリストの任意の検索結果４０と任意の好適な関係で表示され得る。デジタルメディア４８は、テキスト及びそのようなデジタルメディア４８を近くに又は下に重ねて又は上に重ねて表示するように構成される任意の好適なブラウザに、ウェブであるか又はそれ以外であるかにかかわらず表示される可能性がある。デジタルメディア４８は、任意の好適な形状又はサイズで、インターネットに関連する任意のブラウザにおいて提供される可能性がある。
【０１０２】
図１１を参照すると、実施形態の方法が、ユーザが例えばインターネットを介してブラウザから検索エンジンに検索クエリを送信するか又は送ること（５２）を含む可能性がある。検索エンジンは、検索クエリを受信し、例えばインデックスを使用することによって１つ又は複数の検索結果を編集することができる（５４）。それぞれの検索結果のＵＲＬは、ドメイン名又はその他の特定する特徴を抽出するために解析される可能性がある（５６）。抽出されたドメイン名は、ドメイン登録サービスのデータベース５８に与えられ、ドメイン登録サービスのデータベースのエントリとマッチングされる可能性がある（５８）。ドメイン名がそのようなデータベースのエントリと一致する場合、任意の好適なデジタルメディアが対応する検索結果に関連して表示され得るように、カスタムのドメインデータが検索結果と一緒にブラウザに送信される可能性がある（６０）。
【０１０３】
図１２を参照すると、ブラウザ２は、ユーザの検索クエリに応答して１つ又は複数の検索結果４０を表示するように制御される可能性がある。検索を実行したユーザは、対応するドメイン名又はＵＲＬ若しくはウェブサイトの少なくとも一部がドメイン登録サービスに登録された特定の検索結果４０ａに関連して表示されるデジタルメディア４８を提示される可能性がある。
【０１０４】
図１３〜１５を参照すると、アニメーションされるデジタルメディア６２は、対応するドメイン名、ＵＲＬ、又はウェブサイトがドメイン登録サービスに登録された検索結果４０に関連して表示される可能性がある。そのようなデジタルメディア６２は、図１３から図１４、図１５への進行によって示されるように、順次変化するか又は更新される可能性がある。このようにして、ユーザは、例えば、アニメーションされる広告又はライブ広告（live  advertisement）を提示されるか又はそのような広告を見る可能性がある。
【０１０５】
図１６を参照すると、一部の実施形態において、ブラウザ２は、例えば、見出し４２と抜粋４６との間に検索結果に関連して任意の好適にサイズを決められたデジタルメディア４８を表示するように制御される可能性がある。
【０１０６】
図１７及び１８を参照すると、そのようなデジタルメディアは、図１７から図１８への進行によって示されるアニメーションされるデジタルメディア６２である可能性がある。デジタルメディア６２は、連続的で、従って、広告又はその他のデジタルメディアは、アニメーションされるか、又は静的であるか、又はそれらの任意の好適な組み合わせである可能性がある。アニメーションされるデジタルメディア６２が採用又は利用される場合、アニメーションは、例えば、０．１秒〜６０秒まで、又は任意のその他の好適な時間実行される可能性がある。
【０１０７】
図１９を参照すると、一部の実施形態において、任意の好適なメディア４８は、ブラウザ２に表示される検索結果４０のテキストの下又は上に与えられる可能性がある。そのような実施形態において、デジタルメディア４８は、少なくとも部分的に透明である可能性がある。代替的に、デジタルメディア４８は、べた塗りされている可能性がある。検索結果４０の領域全体は、広告などの任意の好適なデジタルメディア４８を上に重ねられるか又は下に重ねられる可能性がある。デジタルメディア４８は、インタラクティブである可能性であり、例えば、ユーザがデジタルメディア４８をスクロールするか又はデジタルメディア４８をカーソルでクリックするときに変化する可能性がある。さらに、デジタルメディア４８は、埋め込み画像又はアニメーションされる広告を含む可能性がある。
【０１０８】
図２０及び２１を参照すると、好適なデジタルメディア４８が、任意の検索結果のテキストの代わりに表示される可能性がある。例えば、検索結果全体が、図２０から図２１への進行で示されるアニメーションなどのデジタルメディア４８で置き換えられる可能性がある。図２２を参照すると、一部の実施形態において、好適なデジタルメディア４８は、ブラウザ２に表示される検索結果に関連して表示される可能性がある。そのような実施形態において、検索結果４０のテキストは、通常は検索結果４０のテキストによって占められる領域にデジタルメディア４８が遮られずに表示されることを可能にするためにずらされる可能性がある。そのような実施形態においては、（例えば、有料の広告を指す）「アド（Ad）」などの句又は語６４が、右上など、検索結果４０に関連して任意の好適な位置に表示される可能性がある。そのような実施形態は、ドメイン登録サービスの「プレミアム（premium）」サービスに加入することを必要とする可能性がある。
【０１０９】
図２３〜２６を参照すると、そのような実施形態において、検索結果４０に関連して表示されるデジタルメディア４８は、一連の図２３、２４、２５、及び２６によって示されるようにアニメーションされる可能性がある。アニメーションは、切れ目なく見え、テレビ広告又は動画のように見える可能性がある。ユーザは、アニメーションされるデジタルメディア４８のフレームのうちの１つ又は複数を見る可能性がある。語６４、例えば「アド」は、必要に応じて与えられる可能性があり又は与えられない可能性がある。
【０１１０】
一部の実施形態において、ブラウザ又はデジタルメディア４８は、検索結果４０、デジタルメディア４８、又はそれら両方を停止するか、一時停止するか、再生するか、巻き戻すか、早送りするか、シーク（seek）するか、又はそれらとその他の方法でインタラクションする能力をユーザに提供するように埋め込まれるか又はそうでなければ制御される可能性がある。
【０１１１】
図２７及び２８を参照すると、一部の実施形態において、ブラウザ２が、モバイル電話又はＰＤＡの小型スクリーンなどの小型スクリーン上に提供される可能性がある。そのような実施形態において、ユーザは、クリックされるか、押下されるか、タッチされるか、又は同様に作動させられるときに検索結果４０の代わりに又は検索結果４０の近くで好適なデジタルメディア４８を拡大するか又はその他の方法で見せる可能性があるボタン６６を提供され得る。デジタルメディア４８は、任意の好適な方法で、任意の好適なメカニズムによって見せられるか、拡大されるか、又はその他の方法でインタラクションされる可能性がある。例えば、ブラウザは、ブラウザ２上に１つ又は複数の検索結果４０を表示する可能性がある。ユーザは、ボタン６６を押下する可能性がある。図２８を参照すると、ボタン６６を押下した後、好適なデジタルメディア４８が見せられる可能性があり、検索結果又はブラウザ２の任意の好適な部分を占める可能性がある。これは、モバイル電話などの小型スクリーンを含むクライアントを用いるユーザに有利である可能性がある。しかし、そのような実施形態は、パーソナルコンピュータ又はタブレットのスクリーンなどの任意の好適なスクリーンサイズに関連して提供され得る。
【０１１２】
従って、小型スクリーンを有するクライアントで提供されるブラウザ２は、１つ又は複数の検索結果と、広告などの好適なデジタルメディア４８を拡大するか、又はそうでなければ広告などの好適なデジタルメディア４８のサイズ若しくは位置を変更するように構成され得る関連するボタン６６とを表示するように制御される可能性がある。これは、例えば、モバイル電話などの小型スクリーンを含むクライアントを用いるユーザに有利である可能性がある。ユーザは、閲覧を改善するためにデジタルメディア４８を拡大するためにボタン６６を押下する可能性がある。代替的に又は追加的に、ユーザは、デジタルメディア４８の好適な領域、例えば、角をドラッグすることによってデジタルメディア４８を拡大又は縮小して、ブラウザ２を任意の望まれるサイズ又は割合にする可能性がある。ユーザは、デジタルメディア４８のサイズを小さくするか、又はデジタルメディア４８を完全に隠すために、ボタン６６又はデジタルメディア４８をクリックするか、押下するか、その上で指をスライドさせるか、又はその他の方法でインタラクションする可能性がある。
【０１１３】
デジタルメディア４８は、任意の好適な形状又は形式で提供される可能性があり、任意の好適な方法のインタラクティブ性がある可能性がある。デジタルメディア４８とのインタラクションは、任意の好適な方法で、デジタルメディア４８のサイズを大きくするか、デジタルメディア４８のサイズを小さくするか、デジタルメディア４８が見えるように若しくは見えないようにするか、デジタルメディア４８がアニメーションを開始するか若しくは停止するようにするか、又はデジタルメディア４８が変化するか若しくは同じままであるようにする可能性がある。
【０１１４】
図２９を参照すると、（概して、インターネット又はその他のネットワークにアクセスすることができる）媒体又はクライアント４は、ロケーションバー６８にカスタマイズされたドメイン名若しくはＵＲＬを表示するか、又はユーザの検索クエリに応答して１つ若しくは複数の検索結果４０を表示するように構成されたブラウザ２を含む可能性がある。特定の検索結果は、関連するデジタルメディアを、その関連するデジタルメディアが図２９に示されていないか又は表示されていない可能性があるが、有する可能性がある。
【０１１５】
図３０を参照すると、クライアント４のブラウザ２は、ドメイン登録サービスに登録されたドメイン名、ＵＲＬ、又はウェブサイトに対応する検索結果４０に関連して好適なデジタルメディア４８を表示するように制御される可能性がある。広告などのデジタルメディア４８は、例えば、ユーザからの入力に応答して、又は自動的に表示されるように制御される可能性がある。デジタルメディア４８は、例えば、ユーザがタッチスクリーンを横切って指若しくはスタイラスをスライドさせることによって、又は特定の検索結果４０をクリックすることによって任意の好適な方法でブラウザ２内で拡大される可能性がある。デジタルメディア４８は、本明細書において言及されるすべてのその他のもののように、フォント、色、画像、ロゴ、商標、ファビコン、動画、又はアニメーションのうちの１つ又は複数などのデジタルメディアの任意の好適な組み合わせである可能性がある。デジタルメディア４８は、任意の好適なファイル、ファイルの種類、又はデータベースに含まれる可能性があり、静的であるか、又はアニメーションされるか、又は任意のその他の好適な方法で提示される広告を含む可能性がある。図３０は、ブラウザ２のＧＵＩの下から立ち上がるように制御され、その立ち上がりの途中であり、現在はブラウザ２のＧＵＩのおよそ下半分を占める広告の形式のデジタルメディア４８を示す。
【０１１６】
図３１を参照すると、（図３０に示された）デジタルメディア４８の広告が、ブラウザ２の下からのその立ち上がりを完了し、今やブラウザ２のＧＵＩ及びクライアント４のスクリーン全体の大きな割合を占める。広告などのデジタルメディア４８のアニメーションは、例えば、０．１秒〜１８０秒まで、又は任意のその他の好適な時間実行される可能性がある。広告を１秒〜３０秒まで実行することが、有利である可能性がある。
【０１１７】
デジタルメディア４８は、静的であるか又は（テレビ広告と同様に）アニメーションされる可能性がある。デジタルメディア４８は、ｍｐｅｇ、Ｆｌａｓｈ、又は任意のその他の種類の連続的なフレーム単位の１組の画像などの任意の好適なフォーマット又はファイルで提供される可能性がある。プロバイダが、そのようなファイル又はフォーマットの種類又は長さを判定する可能性がある。
【０１１８】
任意のサイズ、種類、又は形式のデジタルメディア４８は、クライアント４又は媒体のブラウザ２に表示されるように制御される可能性がある。例えば、デジタルメディア４８は、上、左及び右のうちの一方若しくは両方、又は下など、ブラウザ２又はスクリーンのその他の部分に提供又は表示される可能性がある。デジタルメディア４８の２つ以上のインスタンスが、単一のウェブページ又はＵＲＬロケーションに表示される可能性があり、任意のそれぞれのインスタンスは、さまざまな又は異なるサイズである可能性があり、それぞれのインスタンスは、独立してインタラクティブである可能性がある。
【０１１９】
デジタルメディア４８は、検索結果に対応し、ドメイン登録サービスに登録される特定のドメイン名、ＵＲＬ、又はウェブサイトに関連する可能性があり、又は関連しない可能性がある。
【０１２０】
デジタルメディア４８は、埋め込みリンクを含む可能性があり、又は含まない可能性がある。
【０１２１】
デジタルメディア４８は、任意の好適なブラウザ２の任意の好適な位置に提供される可能性があり、１つ又は複数のスクロールする広告又は静的な広告で構成される可能性がある。デジタルメディア４８は、特定の検索結果に関連する可能性があり、パネルとして提供されるか、又は上、下、真ん中、左、若しくは右など、ブラウザ２若しくはスクリーンの任意の好適な領域に提供される可能性がある。
【０１２２】
デジタルメディア４８は、任意の実用的又は好適な形状又はサイズである可能性があり、任意の好適なブラウザ２又はページに提供される可能性がある。
【０１２３】
デジタルメディア４８は、例えば、サイズが０．１ｍｍ刻みで（スクリーンサイズが大きく変わり得るので）１ｍｍ四方〜２０ｍ四方までの範囲にある正方形として提供又は表示される可能性があり、例えば、映画ポスターのサイズとして提供される可能性がある。代替的に又は追加的に、デジタルメディア４８は、任意の好適な寸法の長方形又は任意のその他の好適な形状として表示される可能性がある。
【０１２４】
デジタルメディア４８は、ドメイン名、ＵＲＬ、若しくはウェブサイトに導くか又はドメイン名、ＵＲＬ、若しくはウェブサイトに関連する可能性がある完全な映画館サイズのスクリーン又は大型の屋外広告掲示板などの任意の好適な高さ及び幅の範囲全体にわたる０．０１ｍｍ刻みの任意の好適な寸法である可能性があり、それによって、デジタルメディア４８はそこに表示され得る。
【０１２５】
同じことが、任意のサイズの広告掲示板に情報をダウンロードするために使用され得る。広告掲示板の表示は、ドメインのリンク又はＵＲＬのリンクによって制御又は指示される可能性があり、広告掲示板は、ドメインアドレスのリンクからの情報又は指示に基づいてデジタルメディア４８を表示する。
【０１２６】
デジタルメディア４８は、静止画、アニメーション、又はテレビ若しくは映画の録画のような録画などの任意の好適な種類又は形式の広告である可能性がある。
【０１２７】
図３２を参照すると、ブラウザ２は、ドメイン名又はＵＲＬを表示するように構成されたロケーションバー６８、タブブラウザ（図示せず）の１つ又は複数のタブ、及び検索ツールバー７０を含む可能性がある。一部の実施形態においては、ロケーションバー６８と検索ツールバー７０とが組み合わされる可能性がある。図３２のブラウザ２は、検索エンジンのウェブページを表示しており、ウェブページは、検索入力テキストボックス７２及び検索ボタン７４を含む。検索ツールバー７０及び入力テキストボックス７２は、それぞれ、ユーザからのコンテンツ又はテキストに基づく検索クエリを受け入れるように構成される可能性がある。検索エンジンは、ユーザが例えば検索ボタン７４をクリックすることによって検索クエリを送るときに検索クエリに基づいてインターネット検索を実行する可能性がある。検索エンジンは、検索結果のリストを表示する可能性がある。ブラウザ２又は検索エンジンは、概して、カスタマイズされた検索結果を表示するように構成される。ドメイン名、ＵＲＬ、又はウェブサイトの所有者又は管理者が検索結果のカスタマイズの管理アプリケーションにアクセスすることを可能にするリンク７６が、検索エンジンのホームページに設けられる可能性がある。
【０１２８】
図３３を参照すると、ウェブサイトの管理者が、ドメイン名、ＵＲＬ、又はウェブサイトの所有権を確認するように要求される可能性がある。所有者は、所有されているドメイン名又はＵＲＬを指定する可能性があり、その帰属の証明を提供するように要求される可能性がある。２つ以上の方法が、提供される可能性がある。例えば、帰属の確認の方法は、検索エンジンが帰属を確認するために使用することができるドメイン名内のウェブページにＪａｖａＳｃｒｉｐｔコード７８を挿入することを含む可能性がある。任意のその他の好適な方法が、提供される可能性がある。
【０１２９】
図３４を参照すると、ドメイン登録サービスがウェブサイトの所有者によってログインされる可能性がある。ログインされると、ブラウザ２が、検索に応答してユーザに対して表示される、所有されているドメイン名、ＵＲＬ、又はウェブサイトに関連して返される検索結果のプレビュー８０を表示するためのインターフェースを表示するか、又は表示するように制御される可能性がある。ドメイン登録サービスは、所有者が検索結果の外観をカスタマイズするための能力を提供する可能性がある。プレビュー８０は、特定のドメイン名、ＵＲＬ、又はウェブサイトに関する特定の検索結果がユーザに対してどのように見えるのかを表示することができる。これは、ドメインの所有者に、検索エンジンのユーザがそれらのコントローラ又は所有されているドメイン名、ＵＲＬ、若しくはウェブサイトに対応する結果に関して検索結果がどのように見えるのかに関する視覚的な手がかりを与えることができる。コントローラ又は所有者は、表示されるカスタマイズされた検索結果の外観を修正するオプションを与えられる可能性もある。例えば、タイトルフォント変更ボタン８２又はＵＲＬフォント変更ボタン８４又はそれら両方が提供される可能性があり、所有者によってクリックされるとき、検索結果のリストでユーザに対して表示される検索エンジンの見出し４２及びドメイン名３０又はＵＲＬ３２の外観をそれぞれ修正するためのオプションを提供する可能性がある。ドメイン名３０又はＵＲＬ３２の外観は、ウェブブラウザ２のロケーションバー６８、検索エンジンのフィールドの行、又は検索結果内に表示するために所有者によって同様にカスタマイズされる可能性がある。タブのコンテンツの外観が、所有者のウェブサイトがブラウザで閲覧されるときに表示するために所有者によって同様にカスタマイズされる可能性がある。
【０１３０】
図３５を参照すると、所有者は、代わりのフォントを選択又は提供することによって検索結果の外観を変更又は修正することができる可能性がある。見出し４２、ドメイン名３０、又はＵＲＬ３２、又は抜粋４６の外観が、望まれた場合は修正される可能性がある。代替の又は追加のフォントが、ドメイン登録サービスによって提供される可能性があり、又は代替的に所有者が、カスタムのフォントをアップロードする可能性がある。見出し４２、ドメイン名３０、ＵＲＬ３２、或いは検索結果若しくはドメイン名、又は検索結果の任意のその他の好適な態様の中に提供される任意のその他の好適な情報に対して異なるフォントが適用される可能性がある。ＵＲＬ、ドメイン名、又はウェブサイトのコントローラ又は管理者は、見出し４２又は抜粋４６などのデジタルメディアを有する検索結果の任意の好適な部分をカスタマイズするための１つ又は複数のカスタマイズオプションを提示される可能性がある。追加的に又は代替的に、ＵＲＬ、ドメイン名、又はウェブサイトのコントローラ又は管理者は、背景色、画像、ロゴ、商標、ファビコン、動画、又はアニメーションのうちの１つ又は複数の組み合わせなどの任意の好適なデジタルメディアを追加し、その位置を定義することができる可能性がある。例えば、ＵＲＬ、ドメイン名、又はウェブサイトのコントローラ又は管理者は、見出し４２のフォントを変更したい可能性がある。ＵＲＬ、ドメイン名、又はウェブサイトのコントローラ又は管理者は、テキストボックス８８で（例えば、コントローラ又は管理者のマシン上の）フォントファイルの位置を指定し、アップロードボタン９０をクリックすることによってドメイン登録サービスに望まれるフォントファイルをアップロードする可能性がある。代替的に又は追加的に、管理者は、与えられたフォントのリストから、例えば、ドロップダウンリスト８６から選択することができる可能性がある。管理者は、同様にして検索結果の抜粋４６などの検索結果のその他の態様をカスタマイズする可能性があるが、任意のカスタマイズが、任意の好適な方法で行われ得る。任意のアップロードされたファイルは、管理者に関連するアカウントに保存される可能性があり、コントローラ又は管理者が所有し、登録した可能性があるその他のドメインのためのカスタマイズの枠組みに適用される可能性がある。
【０１３１】
代替的に又は追加的に、ＵＲＬ、又はドメイン名、又はウェブサイトのコントローラ又は管理者は、任意の必要とされるデジタルメディアへのポインタ、ＵＲＬ、又はＩＰアドレスを提供する可能性がある。任意のアップロードされたファイル又はポインタなどは、ドメイン登録サービスサーバに記憶され、必要に応じてユーザのクライアントに送信される可能性がある。
【０１３２】
代替的に又は追加的に、ＵＲＬ、又はドメイン名、又はウェブサイトのコントローラ又は管理者は、同様の方法でブラウザ２のロケーションバー６８に表示されるドメイン名３０、ＵＲＬ３２、又はタブの外観をカスタマイズすることができる可能性がある。
【０１３３】
図３６を参照すると、ブラウザ２は、ドメイン登録サービスに登録されたドメイン名３０、ＵＲＬ３２、又はウェブサイトに関連して検索結果４０のリスト内にカスタマイズされた検索結果４０ａを表示するように制御される可能性がある。カスタマイズされた検索結果４０ａは、所有者によって指定されたように見える可能性があり、プレビューと同じように見える可能性がある。登録されたドメイン名３０、ＵＲＬ３２、又はウェブサイトに関するカスタマイズされた検索結果４０ａの外観は、概して、ドメインの所有者に対してプレビューで表示されたものと一貫性があるように表示される。これは、カスタマイズ検索結果４０ａがリスト内で目立つか又はその他の検索結果４０から区別されるようにすることができる。カスタマイズされた検索結果４０ａは、ブランドのフォントが使用されるとき、認識され得る可能性がある。同様に、カスタマイズされたロケーションバー６８は、ブランドのフォントが使用されるとき、認識され得る可能性がある。追加的に、カスタマイズされたテキストファイル又はカスタマイズされ得るテキストファイルが、ドメイン登録サービスにアップロードされる可能性がある。そのようなテキストファイルは、検索結果４０ａの任意の好適な部分若しくはすべてに加えて、又は検索結果４０ａの任意の好適な部分若しくはすべての代わりに表示される可能性がある。例えば、カスタマイズされたテキストファイルは、検索結果の抜粋４６に加えて、又は検索結果の抜粋４６の代わりに表示される可能性がある。これは、所有者又はコントローラが、例えば、ユーザに対して表示される抜粋４６のテキストを制御することを可能にすることができる。
【０１３４】
図３７を参照すると、図３４及び３５のカスタマイズの方法又はプロセスが、所有されているそれぞれのドメイン名、ＵＲＬ、又はウェブサイトに対して繰り返される可能性がある。ＵＲＬ、ドメイン名、又はウェブサイトのコントローラ又は管理者は、２つ以上のドメイン名、ＵＲＬ、ドメイン名、又はウェブサイトを制御する可能性があり、そのような複数のドメインは、ドメイン登録サービスによる同じアプリケーション又は単一のアカウントから管理又はカスタマイズされる可能性がある。ブラウザ２は、ウェブサイトの管理者がドメイン登録サービスに登録したそれぞれのウェブサイト、ドメイン名、又はＵＲＬをリストにするインターフェースを表示する可能性がある。
【０１３５】
図３８を参照すると、ロケーションバーでユーザに対して表示される１つ又は複数のドメイン名又はＵＲＬ又はタブの外観が、同様に、アプリケーション、インターフェース、又はドメイン登録サービスのアカウントからカスタマイズされる可能性がある。例えば、埋め込むべき１つ若しくは複数のファイル、又はＵＲＬ若しくはタブのコンテンツのフォントが、検索結果内でカスタマイズされる任意のフォント又はその他の特徴の追加的に、又は検索結果内でカスタマイズされる任意のフォント又はその他の特徴の代替的にカスタマイズされる可能性がある。これは、フォントファイル、文字ファイル、又は１つ若しくは複数の画像ファイルなどの任意のその他の好適なファイルをアップロードすることによって実現される可能性がある。
【０１３６】
図３９を参照すると、ブラウザ２は、ドメイン名３０、又はＵＲＬ３２、又はそれら両方を表示するように構成されるロケーションバー６８を含む可能性がある。
【０１３７】
図４０を参照すると、ブラウザ２は、検索クエリに応答して、検索エンジンによって返された１つ又は複数の検索結果４０を表示するように制御される可能性がある。それぞれの検索結果は、ドメイン名３０又はＵＲＬ３２を含む可能性がある。
【０１３８】
一部の実施形態において、ドメイン名又はＵＲＬのコントローラは、ウェブブラウザ、検索エンジン、又はドメイン登録サービスによって供給される１つ又は複数の予めロードされたフォントから選択することによってロケーションバー内のドメイン名又はＵＲＬを含む文字の表示をカスタマイズする可能性がある。代替的に、所有者は、埋め込むべき一意のカスタムのファイル、又はフォントをドメイン登録サービスにアップロードする可能性がある。同様のカスタマイズされたフォント又は画像が、ブラウザのタブのコンテンツに適用される可能性がある。
【０１３９】
ドメイン登録サービスは、ウェブブラウザのプロバイダ、検索エンジンのプロバイダ、又はその他の者によって運用されるサーバを含む可能性がある。ドメイン登録サービスは、カスタムのフォント、及び対応するフォント、デジタルメディア、又は使用されるべきその他のファイルの使用を指定した登録されたドメイン名、ＵＲＬ、又はウェブサイトのリストを含むデータベースを含む可能性がある。代替的に、ドメイン登録サービスは、ウェブブラウザ又は検索エンジンにファイル、画像、又は動画などの好適なデジタルメディアの任意の好適な組み合わせを提供するように構成された任意のその他のシステム、フォーマット、又はツールを含む可能性がある。そのようなファイルは、ウェブブラウザによって表示されるＵＲＬ、ドメイン名、検索結果、ウェブページのタイトル、又は説明の外観をカスタマイズするためにドメイン名のコントローラ又は管理者によって指定される可能性がある。
【０１４０】
一部の実施形態においては、個々のフォントの文字をカスタマイズする代替として、ユーザは、ロケーションバーの少なくとも一部、又は検索エンジンのフィールドの行若しくは結果の少なくとも任意の部分に埋め込まれ得る画像ファイルなどの１つ又は複数のファイルを提供する可能性がある。ドメイン登録サービスは、登録されたドメイン名、ＵＲＬ、又はウェブサイト、及び使用されるべき対応するファイルのリストを含むデータベースを含む可能性がある。
【０１４１】
図４１を参照すると、ブラウザ２は、ロケーションバー６８によって表示されるドメイン名３０若しくはＵＲＬ３２の外観を更新するように制御される可能性があり、又は表示されるタブの外観を更新するように制御される可能性があり、又はその両方である可能性がある。ロケーションバーがカスタマイズされた外観によって更新される度に、登録されたフォント、画像ファイル、又はその他のデジタルメディアが、例えば、ドメインの部分か、又は表示されるＵＲＬの全体かのどちらかに適用される可能性がある。
【０１４２】
ドメイン登録サービスは、例えば、＜ドメイン（domain），カスタムのドメインデータ（custom  domain  data）＞のようなキー値のペアを使用することによってドメイン名又はＵＲＬが登録されているか否かを示す情報をブラウザ２又は検索エンジンサーバが要求することを可能にするように構成されたアプリケーションプログラミングインターフェースを含む可能性がある。Ｒｅｄｉｓデータベースなどのキー値の規模を変えられるデータベースを使用することが有利である可能性があるが、任意の適切なデータベースが使用され得る。
【０１４３】
図４１ａを参照すると、人、会社、又はＵＲＬ若しくはドメイン名のコントローラ若しくは管理者は、例えば、２つ以上のブランドを所有する可能性がある。そのような複数のブランドは、管理者によって制御される単一のウェブサイトで開示されるか、広告されるか、又はそれ以外の方法で表示される可能性がある。例えば、Ｃｏｃａ−Ｃｏｌａは、さらに、「Sprite」ブランドを所有する可能性があり、Ｓｐｒｉｔｅは、Ｃｏｃａ−Ｃｏｌａのウェブサイト内に独自の専用の区画を有する可能性がある。そのような専用の区画は、ＵＲＬ３２内の文字列「sprite」３３などのＵＲＬに関連する追加の情報によって表現される可能性がある。追加の情報は、サブドメインである可能性があり、又は任意の好適な方法でドメイン３０若しくはＵＲＬ３２で表現される可能性がある。ブラウザ又は検索エンジンは、ドメイン登録サービスにカスタムのドメインデータの要求を送信するように構成される可能性があり、要求は、そのような追加の情報を含む。例えば、ＵＲＬ全体をドメイン登録サービスに送信することによる。ドメイン登録サービスは、そのドメイン登録サービスのデータベースに、追加の情報に関連する追加の又は異なるカスタムのドメインデータを含む可能性がある。ドメイン登録サービスは、追加の情報を含むカスタムのドメインデータの要求を受信すると、追加の又は異なるカスタムのドメインデータをブラウザに送信するか又は検索することができる。この点において、カスタムのデータのデータベースが登録されたドメイン名によってインデックス付けされる可能性があるが、ドメイン名の一部に関して複数のエントリを含む可能性があることが理解される。そのような実施形態において、ドメイン登録サービスは、最初にドメイン名を用いてデータベースを検索し、ドメイン名に関する複数項目のカスタムのコンテンツが存在することを発見すると、次いで、ＵＲＬが特定項目のカスタムのコンテンツに対応する文字列を含むかどうかを調べることができるように構成され得る。一例においては、特定の文字列がＵＲＬに含まれない限り返される汎用的なカスタムのコンテンツが存在する可能性がある。追加の又は異なるカスタムのドメインデータが、例えば、追加の情報に関連するブランド又はデジタルメディアが表示されるように好適な方法でブラウザによって表示される可能性がある。例えば、ブラウザは、「sprite」の文字列３３をドメイン登録サービスに送信することに応答してＳｐｒｉｔｅのロゴ画像ファイルを含むカスタムのドメインデータを受信する可能性がある。Ｓｐｒｉｔｅのロゴは、ユーザがＣｏｃａ  ＣｏｌａのウェブサイトのＳｐｒｉｔｅの区画を現在拾い読みしていることをそれらのユーザがロケーションバーから視覚的に特定することができるようにロケーションバーに表示される可能性がある。
【０１４４】
従って、上記のその他の実施形態がドメイン登録サービスにドメイン名を送信すると説明する場合、これは、ＵＲＬ全体又はＵＲＬの一部を送信することによって実現される可能性もあり、ドメイン登録サービスが、データベースがどのようにインデックス付けされているかに応じてドメイン名又はＵＲＬの何らかのその他の部分を抽出することが理解される。さらに、その他の実施形態において、ドメイン登録サービスは、ユーザが異なるカスタムのデータに対応するウェブサイトの異なる部分にナビゲートするようにブラウザを運用する場合に、ブラウザがその場合にドメイン登録サービスと再び通信することなしに異なるカスタムのデータが表示され得るように、ブラウザに複数項目のカスタムのコンテンツデータを返すように構成される可能性がある。代替的に、ユーザがウェブサイトの特定の部分を拾い読みするときにブラウザが異なるカスタムのデータを取得する必要があることをブラウザに知らせるデータが、ブラウザに通信される可能性がある。この点において、一部の実施形態において、ブラウザは、ユーザが同じウェブサイト内をナビゲートし続けている間、アドレスバーに同じカスタムのデータを提示するように構成される可能性があることが理解される。
【０１４５】
図４２を参照すると、ブラウザ２は、ドメイン登録サービス１４にカスタムのドメインデータの要求を送信する可能性がある（１２）。ドメイン登録サービス１４は、ブラウザ２、クライアント、又は媒体にカスタムのドメインデータを送信する可能性がある（１８）。
【０１４６】
再び図４３を参照すると、カスタマイズされたドメイン名を表示する方法は、概して、ドメイン登録サービス１４の使用を含む。ドメイン登録サービス１４は、概して、１つ又は複数のサーバのメモリに記憶された１つ又は複数のコンピュータプログラムによって提供される。ドメイン登録サービスサーバは、専用サーバである可能性があり、又は例えば、第１の仮想マシンでドメイン登録サービス１４を実行し、第２の仮想マシンでウェブサーバを実行する共有サーバである可能性がある。ドメイン登録サービスサーバは、ブラウザ２のプロバイダ、検索エンジンのプロバイダ、又はインターネットサービスプロバイダなどの任意の好適な者によって所有されるか、又は運用されるか、又はそれら両方である可能性がある。ドメイン登録サービス１４は、ＵＲＬ又はドメイン名の管理者、アドミニストレータ、又はコントローラがそれらの者のドメイン名を登録し、カスタムのドメインデータを提供することができるように構成される。ドメイン名の登録は、加入又はその他の方法で１回だけ又は繰り返し料金を支払うことを必要とする可能性がある。
【０１４７】
ユーザは、概して、コンピュータ又はモバイル電話などのインターネットに対応したクライアント４のブラウザ２によってウェブサイトにアクセスする。そのようにする際に、ユーザは、ブラウザ２がウェブサーバ８にコンテンツの要求６を送信するように、ロケーションバー若しくはアドレスバーにドメイン名若しくはＵＲＬを打ち込むか、又はリンクをクリックする可能性がある。ウェブサーバ８は、コンテンツの要求６を受信し、要求されたコンテンツをブラウザ２に送り返す可能性がある。ブラウザ２は、要求されたコンテンツをウェブサーバから受信する可能性がある（１０）。一部の実施形態において、さらに、ブラウザ２は、ドメイン登録サービス１４にカスタムのドメインデータの要求を送信し（１２）、要求は、少なくとも、ドメイン名、ＵＲＬ、又はドメイン名を示す情報を含む。ドメイン登録サービス１４は、概して、カスタムのドメインデータの要求を受信し、受信されたドメイン名又はその他の特定する情報を、メモリに記憶されるか又は遠隔に記憶される可能性がある登録されたドメイン名のデータベース１６を用いて比較するようにプログラムされるか又はその他の方法で構成される。概して、データベース１６は、登録されたドメイン名に対応するカスタムのドメインデータを含む。ドメイン登録サービス１４は、データベース１６で一致するものがある場合、要求元のエンティティ（ブラウザ２）にドメイン名情報に対応するカスタムのドメインデータを送信する可能性がある（１８）。代替的に、ドメイン登録サービスは、データベース１６で一致するものがない場合、ブラウザ２に否定応答を送信する可能性がある（１８）。ブラウザ２は、ドメイン名がドメイン登録サービス１４に登録されている場合、カスタムのドメインデータを含む可能性があるドメイン登録サービス１４からの応答を受信する可能性がある。代替的に、ブラウザ２は、ドメイン名が登録されていない場合、ドメイン登録サービス１４から否定応答を受信する可能性がある。カスタムのドメインデータの要求は、コンテンツの要求の前に、コンテンツの要求と同時に、又はコンテンツの要求の後に行われる可能性がある。
【０１４８】
カスタムのドメインデータは、アドレスバー、タブ、又はそれら両方のコンテンツの外観が、例えば、示されるドメイン名又はＵＲＬのうちの１つを表示するためにカスタムのドメインデータに従って更新され得るように、ブラウザ２又はクライアント４によって読み取られ、実行され得る情報を含む。
【０１４９】
図１〜３、又は図４１。カスタムのドメインデータは、フォント、色、画像、ロゴ、商標、ファビコン、動画、又はアニメーションのうちの１つ又は複数などのデジタルメディアの任意の好適な組み合わせに関連するデータ、情報、又はファイルを含む可能性がある。カスタムのドメインデータは、代替的に又は追加的に、例えば、追加のデータ又はデータストリームがダウンロードされるか又はそうでなければ受信される可能性があるインターネット上のロケーションにブラウザ２又はクライアント４を導くポインタ、ＵＲＬ、又はＩＰアドレスを含み得る。カスタムのドメインデータの要求に加えて、クライアント４又はブラウザ２は、ドメイン登録サービスからの必要とされる応答を説明する値を設定する可能性がある。
【０１５０】
ブラウザ２が、肯定か又は否定かにかかわらず、ドメイン登録サービス１４から応答を受信した後にのみ、受信されたウェブサイトのコンテンツを表示することが有利である可能性がある。しかし、ブラウザ２は、受信されたウェブサイトのコンテンツを任意の好適な時間に表示することができる。ブラウザ２は、同様に、アドレスバー又はタブのコンテンツの外観を任意の好適な時間に更新することができる。
【０１５１】
カスタムのドメインデータがブラウザ２によって受信される場合、及びそのようなとき、更新されるべきアドレスバー又はタブの一部が、完全なドメイン名又はＵＲＬを解析することによって特定され得る。そのとき、表示されるべきフォント、ファイル、又はその他の情報が、例えば、ＵＲＬのドメイン部分又はタブのファビコン以外の部分にのみ適用される可能性がある。これは、ＪａｖａＳｃｒｉｐｔプログラムなどのスクリプト言語プログラムによって実行される可能性がある。代替的に、アドレスバー又はタブの全体が更新される可能性がある。アドレスバー又はタブがカスタムのフォントを用いて更新される実施形態においては、カーニング又は文字間隔の調整などの追加の処理が、ＵＲＬ又はドメイン名のコントローラ又は管理者によって望まれる可能性がある美的観点で快い結果を実現するために必要とされる可能性がある。そのような追加の処理は、ＪａｖａＳｃｒｉｐｔプログラムなどのスクリプト言語プログラムによって実行される可能性がある。
【０１５２】
フォントの情報がウェブブラウザによって受信されるとき、フォント又はファイルは、ＵＲＬ又は本明細書において説明されるその他の領域の特定の部分に適用される可能性がある。ＵＲＬ「http://coca-cola.com/homepage.html」の場合、「coca-cola」の部分が、完全なＵＲＬを解析することによってプログラミング言語で特定される可能性がある。そのとき、埋め込むべきフォント又はファイルは、例えば、ドメイン部分にのみ適用される可能性があり、例えば、スクリプト言語を用いると、これは、「applyFont(domainString,  font);」のように見える可能性がある。そのとき、ａｐｐｌｙｆｏｎｔメソッドは、例えば、「<span  style="font-family:'coca-cola'">coca-cola</span>」のように見える可能性があるｈｔｍｌで文字列にフォントを設定するネイティブのメソッドを使用する可能性がある。ＪＰＥＧのような画像ファイルなどのファイルを埋め込む場合、これのソフトウェア言語でのあり得る見え方外観は、「url.setFont(coca-cola)」である。
【０１５３】
フォントの文字に関して、同じ結果を実現するその他のメソッドが採用される可能性もある。例えば、文字のレンダリングをさらに制御することが必要とされる可能性があり、幅が測定される必要がある可能性があり、又はカーニングが適用される可能性がある。この場合、実装は、文字列にフォントを適用するその他のメソッドを含む可能性がある。ファイルを埋め込むことに関して、これを実現するためのその他の方法は、「new  XMLHttpRequest().open('GET',  'font.url',  true)」などのＪａｖａＳｃｒｉｐｔを使用することである可能性がある。
【０１５４】
再び図４４を参照すると、カスタマイズされた検索結果を表示する方法は、ドメイン登録サービス１４の使用を含む可能性がある。ユーザは、概して、インターネットに対応したクライアント４のブラウザ２によって検索エンジンウェブサイトにアクセスする。ユーザは、検索エンジンウェブページに設けられた検索ボックス又は検索フィールドに検索クエリ、例えば、「coca  cola」を入力する可能性がある。クライアント４は、概して、１つ又は複数の検索エンジンサーバ２４でホストされる可能性がある検索エンジン２２に検索要求を送信する（２０）。検索エンジン２２は、検索クエリを受信し、検索クエリに基づいて１つ又は複数の検索結果を生成し、それぞれの検索結果は、概して、ドメイン名に関連する。検索エンジンは、１つ又は複数のウェブサイト、ドメイン名、又はＵＲＬを特定し得る妥当な検索結果のリストを返すことができる（１つ又は複数の検索エンジンサーバ２４に組み込まれる可能性がある）１つ又は複数のインデックスサーバに検索クエリを渡すことによって検索を実行する可能性がある。検索エンジンサーバ２４は、それぞれが概してウェブサーバ８でホストされる特定されたウェブサイトから要求コンテンツ又はその他のデータを送信する可能性がある（６）。１つ又は複数のウェブサーバ８は、要求されたコンテンツを１つ又は複数の検索エンジンサーバ２４に送り返す可能性がある。コンテンツは、検索エンジンサーバ２４で受信される可能性がある（１０）。
【０１５５】
検索エンジンサーバ２４は、ドメイン登録サービス１４にカスタムのドメインデータの要求を送信する可能性がある（１２）。カスタムのドメインデータの要求は、既に特定されているそれぞれの検索結果に関連するドメイン名を示す情報を含む可能性がある。ドメイン登録サービス１４は、要求を受信し、受信されたドメイン名情報を、登録されたドメイン名のデータベース１６を用いて比較する可能性がある。ドメイン登録サービス１４は、データベース１６で１つ又は複数の一致するものがある場合、要求元のエンティティ（検索エンジンサーバ２４）にドメイン名情報に対応するカスタムのドメインデータを送り返す可能性がある（１８）。代替的に、ドメイン登録サービスは、データベース１６で一致するものがない場合、検索エンジンサーバ２４に否定応答を送信する可能性がある（１８）。検索エンジンサーバ２４は、検索結果に関連するドメイン名のうちの１つ又は複数がドメイン登録サービス１４に登録されている場合、ドメイン登録サービス１４からカスタムのドメインデータを受信する可能性があり、カスタムのドメインデータは、１つ又は複数の登録されたドメイン名に対応する。検索エンジンサーバ２４は、カスタムのドメインデータが受信された検索結果のそれぞれを、カスタムのドメインデータに従って更新する可能性があり、更新された検索結果をユーザに対して表示するためにブラウザ２に送信する（２８）。検索結果は、登録されたドメインに対応する任意の検索結果がカスタマイズされるようにブラウザ２に表示される可能性がある。
【０１５６】
カスタムのドメインデータは、登録されたドメインに対応する検索結果が存在する場合にカスタマイズされた検索結果が表示され得るように、検索エンジンサーバ２４によって読み取られ、実行され得る情報を含む。カスタムのドメインデータは、フォント、色、画像、ロゴ、商標、ファビコン、動画、又はアニメーションのうちの１つ又は複数などのデジタルメディアの任意の好適な組み合わせに関連するデータ、情報、又はファイルを含む可能性がある。カスタムのドメインデータは、代替的に又は追加的に、例えば、追加のデータ又はデータストリームがダウンロードされるか又はそうでなければ受信される可能性があるインターネット上のロケーションにクライアント４又はブラウザ２を導くポインタ、ＵＲＬ、又はＩＰアドレスを含み得る。カスタムのドメインデータの要求１２に加えて、検索エンジンサーバ２４は、ドメイン登録サービスからの必要とされる応答を説明する値を設定する可能性がある。
【０１５７】
検索エンジンサーバ２４が、肯定か又は否定かにかかわらず、ドメイン登録サービス１４から応答を受信した後にのみ、クライアントに検索結果を送信すること（２８）が有利である可能性がある。しかし、一部の実施形態においては、検索エンジンサーバ２４は、カスタムのドメインデータを送信する（２８）前に検索結果を送信する可能性がある（２８）。そのような実施形態において、クライアント４又はブラウザ２は、カスタムのドメインデータが受信されるとき、カスタムの検索結果を用いて表示される検索結果を更新するように構成される可能性がある。
【０１５８】
カスタムのドメインデータが検索エンジンサーバ２４によって受信される場合、及びそのようなとき、更新されるべき検索結果の一部が、検索結果を解析することによって特定され得る。そのとき、表示されるべきフォント、ファイル、又はその他の情報は、例えば、対応するカスタムのドメインデータを有する検索結果に対してのみ適用される可能性がある。
【０１５９】
ドメイン登録サービス１４は、例えば、＜ドメイン（domain），カスタムのドメインデータ（custom  domain  data）＞のようなキー値のペアを使用することによってドメイン名又はＵＲＬが登録されたか否かを示す情報をブラウザ２又は検索エンジンサーバ２４が要求することを可能にするように構成されたＡＰＩを含む可能性がある。Ｒｅｄｉｓデータベースなどのキー値の規模を変えられるデータベースを使用することが有利である可能性があるが、任意の適切なデータベースが使用され得る。
【０１６０】
一部の実施形態において、ＵＲＬ又はドメイン名のコントローラは、例えば、ドメイン登録サービスにドメインを登録するときにドメインの帰属を証明することを必要とされる可能性がある。帰属又は制御は、ＪａｖａＳｃｒｉｐｔプログラム又はコードなどのプログラム又は適切なコードを、ドメインの帰属を確認するように構成されるウェブサイトのソースコード、プログラム、又はコードに追加することによって証明される可能性がある。ドメインの帰属の確認は、任意の好適な方法で実行され得る。
【０１６１】
任意のフォントが、ｊｐｅｇ、ｇｉｆ、ｆｌａｓｈなどのアニメーションファイル、又は任意のその他の好適なファイルなどのファイルを使用して少なくとも部分的に又は完全に置き換えられる可能性がある。そのような１つのファイル又は複数のファイルは、部分的に又は完全にＵＲＬに埋め込まれる可能性があり、ＵＲＬ又は任意の検索結果を生じる。例えば、ｃｏｃａ  ｃｏｌａの場合、例えば、図４１の３０で示されるように、商標名ｃｏｃａ  ｃｏｌａが、埋め込み画像ファイル及び又は個々のフォントの文字である可能性がある。さらに、これは、ブラウザの領域内の埋め込みファイルとして見える可能性がある。１つの／複数のそのような埋め込みファイルは、本明細書において説明されるように、スクリーン上の任意の場所にあるか又は目に見える可能性があり、インタラクティブであるか又はインタラクティブでない可能性があり、販売促進に関する情報又はポップアップ情報を提供する可能性がある。ユーザは、そのようなポップアップ情報を閉じることができる可能性がある。
【０１６２】
本発明の精神及び範囲から逸脱することなしに多くの修正がなされ得ることは、本発明の当業者に理解される。
【０１６３】
添付の請求項、及び本発明の上記の説明においては、明示的な言葉又は必然的な含意によって文脈がそうでないことを必要としない限り、語「含む（comprise）」、又は「含む（comprises）」若しくは「含む（comprising）」などの変化形は、包含的な意味合いで、つまり、本発明のさまざまな実施形態における述べられた特徴の存在を指定するが、さらなる特徴の存在又は追加を除外しないために使用される。
【０１６４】
添付の請求項、及び本発明の上記の説明においては、明示的な言葉又は必然的な含意によって文脈がそうでないことを必要としない限り、語「クリック（click）」又は「クリック（clicks）」などの変化形は、語「ダブルクリック」、又はカーソルを重ねること若しくはタッチスクリーン上で指をスライドさせることなどの好適なその他のＧＵＩ操作の機能を含む。
【０１６５】
任意の従来技術の刊行物が本明細書において言及されている場合、そのような参照は、その刊行物が任意の国で当技術分野の技術常識の一部をなすことを認めるものではないことを理解されたい。
【図１ａ】
2015520894.tif 000003
【図１ｂ】
2015520894.tif 000004
【図１ｃ】
2015520894.tif 000005
【図１ｄ】
2015520894.tif 000006
【図２ａ】
2015520894.tif 000007
【図２ｂ】
2015520894.tif 000008
【図２ｃ】
2015520894.tif 000009
【図２ｄ】
2015520894.tif 000010
【図３ａ】
2015520894.tif 000011
【図３ｂ】
2015520894.tif 000012
【図３ｃ】
2015520894.tif 000013
【図３ｄ】
2015520894.tif 000014
【図４】
2015520894.tif 000015
【図５】
2015520894.tif 000016
【図６ａ】
2015520894.tif 000017
【図６ｂ】
2015520894.tif 000018
【図６ｃ】
2015520894.tif 000019
【図６ｄ】
2015520894.tif 000020
【図６ｅ】
2015520894.tif 000021
【図７】
2015520894.tif 000022
【図８】
2015520894.tif 000023
【図９】
2015520894.tif 000024
【図１０】
2015520894.tif 000025
【図１１】
2015520894.tif 000026
【図１２】
2015520894.tif 000027
【図１３】
2015520894.tif 000028
【図１４】
2015520894.tif 000029
【図１５】
2015520894.tif 000030
【図１６】
2015520894.tif 000031
【図１７】
2015520894.tif 000032
【図１８】
2015520894.tif 000033
【図１９】
2015520894.tif 000034
【図２０】
2015520894.tif 000035
【図２１】
2015520894.tif 000036
【図２２】
2015520894.tif 000037
【図２３】
2015520894.tif 000038
【図２４】
2015520894.tif 000039
【図２５】
2015520894.tif 000040
【図２６】
2015520894.tif 000041
【図２７】
2015520894.tif 000042
【図２８】
2015520894.tif 000043
【図２９】
2015520894.tif 000044
【図３０】
2015520894.tif 000045
【図３１】
2015520894.tif 000046
【図３２】
2015520894.tif 000047
【図３３】
2015520894.tif 000048
【図３４】
2015520894.tif 000049
【図３５】
2015520894.tif 000050
【図３６】
2015520894.tif 000051
【図３７】
2015520894.tif 000052
【図３８】
2015520894.tif 000053
【図３９】
2015520894.tif 000054
【図４０】
2015520894.tif 000055
【図４１】
2015520894.tif 000056
【図４１ａ】
2015520894.tif 000057
【図４２】
2015520894.tif 000058
【図４３】
2015520894.tif 000059
【図４４】
2015520894.tif 000060
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
ブラウザにおいて、カスタマイズされたロケーションバー又はタブを表示する方法であって、
前記ブラウザに入力されたユニフォームリソースロケータ（ＵＲＬ）に関連するウェブサーバにブラウザからコンテンツの要求を送信するステップと、
前記ブラウザで、前記要求されたコンテンツを前記ウェブサーバから受信するステップと、
ドメイン登録サービスに前記ブラウザからカスタムのドメインデータの要求を送信するステップであり、カスタムのドメインデータの前記要求が、前記ＵＲＬの少なくとも一部を示す情報を含む、ステップと、
前記ＵＲＬの少なくとも一部が前記ドメイン登録サービスに登録されている場合に、前記ブラウザで、前記ドメイン登録サービスからカスタムのドメインデータを受信するステップであり、前記カスタムのドメインデータが、前記ロケーションバー又はタブの所望の外観に関連し、前記ブラウザによって使用されることで前記ロケーションバー又はタブの前記外観を更新することができる、ステップと、
前記受信されたカスタムのドメインデータに従って前記ロケーションバー又はタブのコンテンツの外観を更新するステップとを含む、方法。
【請求項２】
前記ＵＲＬを示す前記情報が、ドメイン名であり、前記ドメイン名が前記ドメイン登録サービスに登録されている場合に、カスタムのドメインデータが受信される、請求項１に記載の方法。
【請求項３】
前記受信されたカスタムのドメインデータが、同じドメイン名に対応する異なる項目のカスタムのドメインデータを含み、前記ブラウザが、表示される前記ＵＲＬに対応する前記カスタムのドメインデータに従って前記ロケーションバー又はタブの前記コンテンツの前記外観を更新する、請求項１又は２に記載の方法。
【請求項４】
前記ＵＲＬが前記ドメイン登録サービスに登録されていない場合に、前記ブラウザで、前記ドメイン登録サービスから否定応答を受信するステップを含む、請求項１〜３のいずれか一項に記載の方法。
【請求項５】
前記ブラウザで前記カスタムのドメインデータを受信した後で、前記ブラウザで前記要求されたコンテンツを表示するステップを含む、請求項１〜４のいずれか一項に記載の方法。
【請求項６】
ウェブサイトの管理者が前記ロケーションバー又はタブの前記更新された外観を修正することを可能にするように構成されるインターフェースを前記ブラウザで表示するステップを含む、請求項１〜５のいずれか一項に記載の方法。
【請求項７】
検索エンジンからのカスタマイズされた検索結果を表示する方法であって、
検索エンジンにブラウザから検索クエリを送信するステップと、
前記検索エンジンで前記検索クエリを受信し、前記検索クエリに基づいて１つ又は複数の検索結果を示す情報を生成するステップであり、それぞれの検索結果が、ユニフォームリソースロケータ（ＵＲＬ）に関連する、ステップと、
ドメイン登録サービスに前記検索エンジンからカスタムのドメインデータの要求を送信するステップであり、カスタムのドメインデータの前記要求が、１つ又は複数のＵＲＬのそれぞれの少なくとも一部を示す情報を含む、ステップと、
前記ドメイン登録サービスに登録されたそれぞれのＵＲＬに関して、前記検索エンジンで前記ドメイン登録サービスからカスタムのドメインデータを受信するステップであり、それぞれのカスタムのドメインデータの事項が、対応する検索結果の所望の外観に関連し、前記ブラウザによって使用されることで１つ又は複数の検索結果の前記外観を更新することができる、ステップと、
前記ブラウザで、前記検索エンジンから、前記１つ又は複数の検索結果を示す前記情報、及び前記カスタムのドメインデータを受信するステップと、
対応するカスタムのドメインデータを有するそれぞれの検索結果の外観が前記カスタムのドメインデータに従って更新されるように前記ブラウザで前記検索結果を表示するステップとを含む、方法。
【請求項８】
前記ＵＲＬを示す前記情報が、ドメイン名であり、前記ドメイン名が前記ドメイン登録サービスに登録されている場合に、カスタムのドメインデータが受信される、請求項７に記載の方法。
【請求項９】
前記受信されたカスタムのドメインデータが、同じドメイン名に対応する異なる項目のカスタムのドメインデータを含み、前記ブラウザが、表示される前記検索結果の前記ＵＲＬに対応する前記カスタムのドメインデータに従って前記検索結果の前記外観を制御する、請求項７又は８に記載の方法。
【請求項１０】
前記検索エンジンが、ウェブサーバにコンテンツの要求を送信し、前記ウェブサーバからコンテンツを受信し、前記ブラウザに前記コンテンツを送信するように構成される、請求項７〜９のいずれか一項に記載の方法。
【請求項１１】
前記ＵＲＬのいずれも前記ドメイン登録サービスに登録されていない場合に、前記検索エンジンで、前記ドメイン登録サービスから否定応答を受信するステップを含む、請求項７〜１０のいずれか一項に記載の方法。
【請求項１２】
ウェブサイトの管理者が検索結果の前記更新された外観を修正することを可能にするように構成されるインターフェースを前記ブラウザで表示するステップを含む、請求項７〜１１のいずれか一項に記載の方法。
【請求項１３】
実行されるときに請求項１〜１２のいずれか一項に記載の方法を実施するコンピュータプログラムコード。
【請求項１４】
請求項１３に記載のコンピュータプログラムコードを含むコンピュータ可読媒体。
【請求項１５】
ユニフォームリソースロケータ（ＵＲＬ）の少なくとも一部によってインデックス付けされたカスタムのドメインデータのデータベースであり、前記ＵＲＬの少なくとも一部に関して異なる項目のカスタムのドメインデータを含むカスタムのドメインデータのデータベースを備え、それぞれのカスタムのドメインデータの事項が、ロケーションバー、タブ、又は１つ又は複数の検索結果の所望の外観に関連し、ブラウザによって使用されることで前記ロケーションバー、タブ、又は１つ又は複数の検索結果の前記外観を更新することができる、ドメイン登録サービスであって、
ＵＲＬの少なくとも一部を示す情報を含む、要求元のエンティティからのカスタムのドメインデータの要求を受信し、ＵＲＬを示す前記受信された情報に基づいてカスタムのドメインデータの前記データベースを検索し、前記要求元のエンティティに任意の検索されたカスタムのドメインデータを送信するように構成され、
前記要求の前記ＵＲＬに応じて、同じドメイン名に関連する異なるカスタムのドメインデータを返す、ドメイン登録サービス。
【請求項１６】
ＵＲＬの前記少なくとも一部がドメイン名を含む、請求項１５に記載のドメイン登録サービス。
【請求項１７】
カスタムのドメインデータの前記要求が、前記ＵＲＬを含み、当該ドメイン登録サービスが、前記ＵＲＬから少なくとも１つの部分を抽出して前記データベースを検索するように構成される、請求項１５又は１６に記載のドメイン登録サービス。
【請求項１８】
ドメイン登録サービスと、
ロケーションバー又はタブを備え、ユニフォームリソースロケータ（ＵＲＬ）に関連するウェブサーバにコンテンツの要求を送信し、当該ウェブサーバからコンテンツを受信し、ドメイン登録サービスに前記ＵＲＬの少なくとも一部を示す情報を含むカスタムのドメインデータの要求を送信し、前記ドメイン登録サービスからカスタムのドメインデータを受信し、前記ウェブサーバから受信されたコンテンツを表示し、前記ドメイン登録サービスからの前記カスタムのドメインデータに従って前記ロケーションバー又はタブの外観を更新するように構成されるブラウザと、を備え、
前記ドメイン登録サービスが、ＵＲＬの少なくとも一部によってインデックス付けされたデータベースのカスタムのドメインデータを含み、それぞれのカスタムのドメインデータの事項が、前記ロケーションバー又はタブの所望の外観に関連し、前記ドメイン登録サービスが、ＵＲＬの少なくとも一部を示す情報を含むカスタムのドメインデータの要求を前記ブラウザから受信し、ＵＲＬを示す前記受信された情報に基づいてカスタムのドメインデータの前記データベースを検索し、前記ブラウザが前記ロケーションバー又はタブの前記外観を更新できるように、任意の検索されたカスタムのドメインデータを前記ブラウザに送信するように構成される、コンピュータに基づくシステム。
【請求項１９】
ＵＲＬに関連し、前記ＵＲＬに関連するウェブサイトに関連するコンテンツをホストし、前記ブラウザからコンテンツの前記要求を受信し、前記ブラウザにコンテンツを送信するように構成されるウェブサーバを備える、請求項１８に記載のコンピュータに基づくシステム。
【請求項２０】
前記ＵＲＬを示す前記情報が、ドメイン名であり、前記ドメイン名が前記ドメイン登録サービスに登録されている場合に、カスタムのドメインデータが受信される、請求項１８又は１９に記載のコンピュータに基づくシステム。
【請求項２１】
前記受信されたカスタムのドメインデータが、同じドメイン名に対応する異なる項目のカスタムのドメインデータを含み、前記ブラウザが、表示される前記ＵＲＬに対応する前記カスタムのドメインデータに従って前記ロケーションバー又はタブの前記コンテンツの前記外観を更新する、請求項１８〜２０のいずれか一項に記載のコンピュータに基づくシステム。
【請求項２２】
前記ドメイン登録サービスが、前記ＵＲＬが前記ドメイン登録サービスに登録されていない場合に、前記ブラウザに否定応答を送信するように構成される、請求項１８〜２１のいずれか一項に記載のコンピュータに基づくシステム。
【請求項２３】
前記ブラウザで前記カスタムのドメインデータを受信した後で、前記ブラウザで前記要求されたコンテンツを表示するように構成された、請求項１８〜２２のいずれか一項に記載のコンピュータに基づくシステム。
【請求項２４】
前記ブラウザが、ウェブサイトの管理者が前記ロケーションバーの前記更新された外観を修正することを可能にするように構成されたインターフェースを表示するように構成される、請求項１８〜２３のいずれか一項に記載のコンピュータに基づくシステム。
【請求項２５】
ドメイン登録サービスと、
検索エンジンに検索クエリを送信し、前記検索エンジンから、１つ又は複数の検索結果を示す情報、及び前記１つ又は複数の検索結果に対応するカスタムのドメインデータを受信し、対応するカスタムのドメインデータを有するそれぞれの検索結果の外観が前記カスタムのドメインデータに従って更新されるように前記検索結果を表示するように構成されたブラウザとを備え、
前記ドメイン登録サービスが、ユニフォームリソースロケータ（ＵＲＬ）の少なくとも一部によってインデックス付けされたカスタムのドメインデータのデータベースを備え、それぞれのカスタムのドメインデータの事項が、検索結果の所望の外観に関連し、前記ドメイン登録サービスが、ＵＲＬの少なくとも一部を示す情報を含む、前記検索エンジンからのカスタムのドメインデータの要求を受信し、ＵＲＬを示す前記受信された情報に基づいてカスタムのドメインデータの前記データベースを検索し、前記ブラウザが前記１つ又は複数の検索結果の前記外観を更新できるように、前記検索エンジンに任意の検索されたカスタムのドメインデータを送信するように構成される、コンピュータに基づくシステム。
【請求項２６】
前記ブラウザから前記検索クエリを受信し、それぞれの検索結果がＵＲＬに関連する、前記検索クエリに基づく１つ又は複数の検索結果を示す情報を生成し、前記ドメイン登録サービスに１つ又は複数のＵＲＬのそれぞれの少なくとも一部を示す情報を含むカスタムのドメインデータの要求を送信し、前記ドメイン登録サービスからカスタムのドメインデータを受信し、前記ブラウザに前記１つ又は複数の検索結果を示す前記情報及び前記対応するカスタムのドメインデータを送信するように構成された検索エンジンを備える、請求項２５に記載のコンピュータに基づくシステム。
【請求項２７】
前記ＵＲＬを示す前記情報が、ドメイン名であり、前記ドメイン名が前記ドメイン登録サービスに登録されている場合に、カスタムのドメインデータが受信される、請求項２５又は２６に記載のコンピュータに基づくシステム。
【請求項２８】
前記受信されたカスタムのドメインデータが、同じドメイン名に対応する異なる項目のカスタムのドメインデータを含み、前記ブラウザが、表示される検索結果の前記ＵＲＬに対応する前記カスタムのドメインデータに従って前記検索結果の前記外観を更新する、請求項２６又は２７に記載のコンピュータに基づくシステム。
【請求項２９】
前記検索エンジンが、ウェブサーバにコンテンツの要求を送信し、前記ウェブサーバからコンテンツを受信し、前記ブラウザに前記コンテンツを送信するように構成される、請求項２５〜２８のいずれか一項に記載のコンピュータに基づくシステム。
【請求項３０】
前記ドメイン登録サービスが、ドメイン名が前記ドメイン登録サービスに登録されていない場合に、前記ブラウザに否定応答を送信するように構成される、請求項２５〜２９のいずれか一項に記載のコンピュータに基づくシステム。
【請求項３１】
前記ブラウザが、ウェブサイトの管理者がロケーションバーの前記制御された外観を修正することを可能にするように構成されたインターフェースを表示するように構成される、請求項２５〜３０のいずれか一項に記載のコンピュータに基づくシステム。
【請求項３２】
ユニフォームリソースロケータ（ＵＲＬ）の少なくとも一部によってインデックス付けされたカスタムのドメインデータを含むデータベースを備え、それぞれのカスタムのドメインデータの事項が、ブラウザのロケーションバー又はタブの所望の外観に関連し、
ＵＲＬの少なくとも一部を示す情報を含むカスタムのドメインデータの要求を前記ブラウザから受信し、前記受信された情報に対応するカスタムのドメインデータがデータベースに記憶されていると判定すると、ロケーションバー又はタブのコンテンツの外観を更新するために前記ブラウザに対応するカスタムのドメインデータを送信するように構成される、ドメイン登録サービス。
【請求項３３】
ユニフォームリソースロケータ（ＵＲＬ）の少なくとも一部によってインデックス付けされたカスタムのドメインデータを含むデータベースを備え、それぞれのカスタムのドメインデータの事項が、検索結果の所望の外観に関連し、
検索エンジンによって生成された１つ又は複数の検索結果のそれぞれに関するＵＲＬの少なくとも一部を示す情報を含むカスタムのドメインデータの要求を前記検索エンジンから受信し、前記受信された情報で示される前記ＵＲＬのうちの１つ又は複数に対応するカスタムのドメインデータが前記データベースに記憶されていると判定すると、ブラウザに表示される前記検索結果の前記外観を更新するために前記検索エンジンに１つ又は複数のＵＲＬに対応する前記カスタムのドメインデータを送信するように構成される、ドメイン登録サービス。
【国際調査報告】
2015520894.tif 000061
2015520894.tif 000062
2015520894.tif 000063
2015520894.tif 000064
2015520894.tif 000065